(57)【要約】  この出願の実施形態は、ディスプレイ技術の分野に関し、フレキシブルディスプレイスクリーンを折り畳んだ後に完全な画像を表示することができないという問題を解決するための、ゲート駆動回路、ゲート駆動回路を制御する方法、及びモバイル端末を提供する。当該ゲート駆動回路は、第１の駆動グループ、第１の接続コントローラ、及び第２の駆動グループを含む。第１の駆動グループは、ディスプレイドライバの第１の信号端によって出力されるスタート信号を受信するように構成される。第１の接続コントローラの第１端が、第１の駆動グループによって出力されるアクティブ信号を受信するように構成される。第１の接続コントローラの第２端が、ディスプレイドライバの第２の信号端によって出力されるカスケードゲーティング信号を受信するように構成される。第１の接続コントローラの第３端が、ディスプレイドライバの第３の信号端によって出力される分割画面ゲーティング信号を受信するように構成される。第１の接続コントローラの第４端が、ディスプレイドライバの第４の信号端によって出力される分割画面表示信号を受信するように構成される。第２の駆動グループは、第１の接続コントローラの第５端によって出力されるアクティブ信号を受信するように構成される。
2022501653.tif 000002
【特許請求の範囲】
【請求項１】
ディスプレイパネル上のピクセル回路を駆動して表示を行うように構成されたゲート駆動回路であって、当該ゲート駆動回路は、
Ｍ個のカスケード接続されたシフトレジスタを有する第１の駆動グループであり、当該第１の駆動グループの入力端が、ディスプレイドライバの第１の信号端に電気的に接続されて、前記ディスプレイドライバの前記第１の信号端によって出力されるスタート信号を受信し、Ｍ≧２であり且つＭは正の整数である、第１の駆動グループと、
第１の接続コントローラであり、当該第１の接続コントローラの第１端が、前記第１の駆動グループの出力端に電気的に接続されて、前記第１の駆動グループによって出力されるアクティブ信号を受信し、当該第１の接続コントローラの第２端が、前記ディスプレイドライバの第２の信号端に電気的に接続されて、前記ディスプレイドライバの前記第２の信号端によって出力されるカスケードゲーティング信号を受信し、当該第１の接続コントローラの第３端が、前記ディスプレイドライバの第３の信号端に電気的に接続されて、前記ディスプレイドライバの前記第３の信号端によって出力される分割画面ゲーティング信号を受信し、当該第１の接続コントローラの第４端が、前記ディスプレイドライバの第４の信号端に電気的に接続されて、前記ディスプレイドライバの前記第４の信号端によって出力される分割画面表示信号を受信する、第１の接続コントローラと、
Ｎ個のカスケード接続されたシフトレジスタを有する第２の駆動グループであり、当該第２の駆動グループの入力端が、前記第１の接続コントローラの第５端に電気的に接続されて、前記第１の接続コントローラの前記第５端によって出力されるアクティブ信号を受信し、Ｎ≧２であり且つＮは正の整数である、第２の駆動グループと、
を有する、ゲート駆動回路。
【請求項２】
当該ゲート駆動回路は更に、
第２の接続コントローラであり、当該第２の接続コントローラの第１端が、前記第２の駆動グループの出力端に電気的に接続されて、前記第２の駆動グループによって出力されるアクティブ信号を受信し、当該第２の接続コントローラの第２端が、前記ディスプレイドライバの前記第２の信号端に電気的に接続されて、前記ディスプレイドライバの前記第２の信号端によって出力される前記カスケードゲーティング信号を受信し、当該第２の接続コントローラの第３端が、前記ディスプレイドライバの前記第３の信号端に電気的に接続されて、前記ディスプレイドライバの前記第３の信号端によって出力される前記分割画面ゲーティング信号を受信し、当該第２の接続コントローラの第４端が、前記ディスプレイドライバの前記第４の信号端に電気的に接続されて、前記ディスプレイドライバの前記第４の信号端によって出力される前記分割画面表示信号を受信する、第２の接続コントローラと、
Ｓ個のカスケード接続されたシフトレジスタを有する第３の駆動グループであり、当該第３の駆動グループの入力端が、前記第２の接続コントローラの第５端に電気的に接続されて、前記第２の接続コントローラの前記第５端によって出力されるアクティブ信号を受信し、Ｓ≧２であり且つＳは正の整数である、第３の駆動グループと、
を有する、請求項１に記載のゲート駆動回路。
【請求項３】
前記第１の接続コントローラは、第１のスイッチ及び第２のスイッチを有し、
前記第１のスイッチは、前記ディスプレイドライバの前記第２の信号端と、前記第１の駆動グループの前記出力端と、前記第２の駆動グループの前記入力端とに電気的に接続され、前記第１のスイッチは、前記ディスプレイドライバの前記第２の信号端によって出力される前記カスケードゲーティング信号を受信するように構成され、前記カスケードゲーティング信号の制御下でイネーブル又はディセーブルされ、該イネーブルされた状態で、受信した、前記第１の駆動グループの前記出力端によって出力される前記アクティブ信号を、前記第２の駆動グループの前記入力端に伝え、
前記第２のスイッチは、前記ディスプレイドライバの前記第３の信号端と、前記ディスプレイドライバの前記第４の信号端と、前記第２の駆動グループの前記入力端とに電気的に接続され、前記第２のスイッチは、前記ディスプレイドライバの前記第３の信号端によって出力される前記分割画面ゲーティング信号を受信するように構成され、前記分割画面ゲーティング信号の制御下でイネーブル又はディセーブルされ、該イネーブルされた状態で、受信した、前記ディスプレイドライバの前記第４の信号端によって出力される前記分割画面表示信号を、前記第２の駆動グループの前記入力端に伝える、
請求項１に記載のゲート駆動回路。
【請求項４】
前記第１のスイッチは第１のトランジスタを有し、該第１のトランジスタのゲートが、前記ディスプレイドライバの前記第２の信号端に電気的に接続され、該第１のトランジスタの第１の電極が、前記第１の駆動グループの前記出力端に電気的に接続され、該第１のトランジスタの第２の電極が、前記第２の駆動グループの前記入力端に電気的に接続され、
前記第２のスイッチは第２のトランジスタを有し、該第２のトランジスタのゲートが、前記ディスプレイドライバの前記第３の信号端に電気的に接続され、該第２のトランジスタの第１の電極が、前記ディスプレイドライバの前記第４の信号端に電気的に接続され、該第２のトランジスタの第２の電極が、前記第２の駆動グループの前記入力端に電気的に接続される、
請求項３に記載のゲート駆動回路。
【請求項５】
前記第１の駆動グループ又は前記第２の駆動グループ内で、最初のレベルのシフトレジスタ以外の複数のシフトレジスタにおいて、上位レベルのシフトレジスタの信号出力端が、下位レベルのシフトレジスタの信号入力端に電気的に接続され、
前記第１のトランジスタの前記第１の電極は、前記第１の駆動グループ内の最後のレベルのシフトレジスタの信号出力端に電気的に接続され、前記第１のトランジスタの前記第２の電極は、前記第２の駆動グループ内の前記最初のレベルのシフトレジスタの信号入力端に電気的に接続され、
前記第２のトランジスタの前記第２の電極は、前記第２の駆動グループ内の前記最初のレベルのシフトレジスタの前記信号入力端に電気的に接続される、
請求項４に記載のゲート駆動回路。
【請求項６】
請求項１乃至５のいずれか一項に記載のゲート駆動回路を有するモバイル端末であって、
当該モバイル端末は更に、画像を表示するように構成された第１のピクセル回路及び第２のピクセル回路を有し、
前記ゲート駆動回路の第１の駆動グループ内で、各レベルのシフトレジスタの信号出力端が、前記第１のピクセル回路内の一部のトランジスタのゲートに電気的に接続され、
前記ゲート駆動回路の第２の駆動グループ内で、各レベルのシフトレジスタの信号出力端が、前記第２のピクセル回路内の一部のトランジスタのゲートに電気的に接続される、
モバイル端末。
【請求項７】
前記ピクセル回路は各々、発光コンポーネントと、該発光コンポーネントが発光するときにターンオン状態にある発光制御トランジスタとを有し、
前記第１の駆動グループ内で、各レベルのシフトレジスタの信号出力端が、前記第１のピクセル回路内の前記発光制御トランジスタのゲートに電気的に接続され、
前記第２の駆動グループ内で、各レベルのシフトレジスタの信号出力端が、前記第２のピクセル回路内の前記発光制御トランジスタのゲートに電気的に接続される、
請求項６に記載のモバイル端末。
【請求項８】
当該モバイル端末は、それぞれ、第１のゲート駆動回路、第２のゲート駆動回路である２つのゲート駆動回路を有し、
前記第１のゲート駆動回路において、各第１の駆動グループ内の各レベルのシフトレジスタの信号出力端が、奇数番目の行又は列の第１のピクセル回路内の一部のトランジスタのゲートに電気的に接続され、各第２の駆動グループ内の各レベルのシフトレジスタの信号出力端が、奇数番目の行又は列の第２のピクセル回路内の一部のトランジスタのゲートに電気的に接続され、
前記第２のゲート駆動回路において、各第１の駆動グループの各レベルのシフトレジスタの信号出力端が、偶数番目の行又は列の前記第１のピクセル回路内の一部のトランジスタのゲートに電気的に接続され、各第２の駆動グループ内の各レベルのシフトレジスタの信号出力端が、偶数番目の行又は列の前記第２のピクセル回路内の一部のトランジスタのゲートに電気的に接続される、
請求項６に記載のモバイル端末。
【請求項９】
前記ディスプレイドライバはディスプレイドライバ集積回路を有し、該ディスプレイドライバ集積回路は、
スタート信号を送信するように構成された第１の信号端と、
カスケードゲーティング信号を送信するように構成された第２の信号端と、
分割画面ゲーティング信号を送信するように構成された第３の信号端と、
分割画面表示信号を送信するように構成された第４の信号端と、
を有する、請求項６に記載のモバイル端末。
【請求項１０】
当該モバイル端末は更に、前記第１のピクセル回路及び前記第２のピクセル回路が上に製造された下地基板を有し、
前記下地基板を構成する材料は可撓性樹脂材料を有する、
請求項６乃至９のいずれか一項に記載のモバイル端末。
【請求項１１】
ゲート駆動回路を制御する方法であって、前記ゲート駆動回路は、第１の駆動グループ、第１の接続コントローラ、及び第２の駆動グループを有し、前記第１の駆動グループは、Ｍ個のカスケード接続されたシフトレジスタを有し、前記第１の駆動グループの入力端が、ディスプレイドライバの第１の信号端に電気的に接続され、Ｍ≧２であり且つＭは正の整数であり、前記第１の接続コントローラの第１端が、前記第１の駆動グループの出力端に電気的に接続され、前記第１の接続コントローラの第２端が、前記ディスプレイドライバの第２の信号端に電気的に接続され、前記第１の接続コントローラの第３端が、前記ディスプレイドライバの第３の信号端に電気的に接続され、前記第１の接続コントローラの第４端が、前記ディスプレイドライバの第４の信号端に電気的に接続され、前記第２の駆動グループは、Ｎ個のカスケード接続されたシフトレジスタを有し、前記第２の駆動グループの入力端が、前記第１の接続コントローラの第５端に電気的に接続され、Ｎ≧２であり且つＮは正の整数であり、
前記第１の接続コントローラは、第１のスイッチ及び第２のスイッチを有し、前記第１のスイッチは、前記ディスプレイドライバの前記第２の信号端と、前記第１の駆動グループの前記出力端と、前記第２の駆動グループの前記入力端とに電気的に接続され、前記第２のスイッチは、前記ディスプレイドライバの前記第３の信号端と、前記ディスプレイドライバの前記第４の信号端と、前記第２の駆動グループの前記入力端とに電気的に接続され、
ゲート駆動回路を制御する当該方法は、
前記第１のスイッチにより、前記ディスプレイドライバの前記第２の信号端によって出力された非アクティブなカスケードゲーティング信号を受信し、その結果、前記第１のスイッチがディセーブルされて、前記第１の駆動グループと前記第２の駆動グループとの間の経路が切断され、
前記第２のスイッチにより、前記ディスプレイドライバの前記第３の信号端によって出力されたアクティブな分割画面ゲーティング信号を受信し、その結果、前記第２のスイッチがイネーブルされ、
前記第２のスイッチにより、前記ディスプレイドライバの前記第４の信号端によって出力されたアクティブな分割画面表示信号を受信し、該アクティブな分割画面表示信号が、前記イネーブルされた第２のスイッチを介して前記第２の駆動グループの前記入力端に出力され、前記第２の駆動グループ内の前記Ｎ個のシフトレジスタの信号出力端が順次にゲート駆動信号を出力する、又は、前記第２のスイッチにより、前記ディスプレイドライバの前記第４の信号端によって出力された非アクティブな分割画面表示信号を受信し、該非アクティブな分割画面表示信号が、前記イネーブルされた第２のスイッチを介して前記第２の駆動グループの前記入力端に出力され、前記第２の駆動グループ内の全てのシフトレジスタの信号出力端が非ゲート駆動信号を出力する、
ことを有する、
方法。
【請求項１２】
当該方法は更に、
前記第１の駆動グループの入力端により、前記ディスプレイドライバの前記第１の信号端によって出力されたアクティブなスタート信号を受信し、前記第１の駆動グループ内の全てのレベルのシフトレジスタの信号出力端が順次にゲート駆動信号を出力する、
ことを有する、請求項１１に記載のゲート駆動回路を制御する方法。
【発明の詳細な説明】
【技術分野】
【０００１】
この出願は、ディスプレイ技術の分野に関し、特に、ゲート駆動回路、ゲート駆動回路を制御する方法、及びモバイル端末に関する。
【背景技術】
【０００２】
電子デバイス技術の発展に伴い、例えば携帯電話といったモバイル端末の表示画面のサイズが、表示効果に比較的大きい影響を持つようになっている。表示画像をいっそう明瞭で鮮明なものにするために、携帯電話の表示画面のサイズが継続的に大きくなっている。しかし、比較的大きい画面サイズの携帯電話は、比較的劣った携帯性を有する。上述の問題を解決するために、屈曲可能なフレキシブルディスプレイスクリーン（flexible  display  screen）が提案されている。ユーザは、必要に応じて表示画面を屈曲させることができ、それにより携帯電話の携帯性が向上する。
【０００３】
しかしながら、フレキシブルディスプレイスクリーンが折り畳まれた後には、ユーザは表示画像の一部しか見ることができず、折り畳まれた表示画面に、必要なように、完全な画像を表示することはできない。
【発明の概要】
【０００４】
この出願の実施形態は、フレキシブルディスプレイスクリーンを折り畳んだ後に完全な画像を表示することができないという問題を解決するための、ゲート駆動回路、ゲート駆動回路を制御する方法、及びモバイル端末を提供する。
【０００５】
上述の目的を達成するために、この出願では以下の技術的ソリューションが使用される。
【０００６】
この出願の実施形態の第１の態様によれば、ゲート駆動回路が提供され、当該ゲート駆動回路は、ディスプレイパネル上のピクセル回路を駆動して表示を行うように構成される。当該ゲート駆動回路は、第１の駆動グループ、第１の接続コントローラ、及び第２の駆動グループを含む。第１の駆動グループは、Ｍ個のカスケード接続されたシフトレジスタを含み、第１の駆動グループの入力端が、ディスプレイドライバの第１の信号端に電気的に接続されて、ディスプレイドライバの第１の信号端によって出力されるスタート信号を受信し、Ｍ≧２であり且つＭは正の整数である。第１の接続コントローラの第１端が、第１の駆動グループの出力端に電気的に接続されて、第１の駆動グループによって出力されるアクティブ信号を受信する。第１の接続コントローラの第２端が、ディスプレイドライバの第２の信号端に電気的に接続されて、ディスプレイドライバの第２の信号端によって出力されるカスケードゲーティング信号を受信する。第１の接続コントローラの第３端が、ディスプレイドライバの第３の信号端に電気的に接続されて、ディスプレイドライバの第３の信号端によって出力される分割画面ゲーティング信号を受信する。第１の接続コントローラの第４端が、ディスプレイドライバの第４の信号端に電気的に接続されて、ディスプレイドライバの第４の信号端によって出力される分割画面表示信号を受信する。第２の駆動グループは、Ｎ個のカスケード接続されたシフトレジスタを含み、第２の駆動グループの入力端が、第１の接続コントローラの第５端に電気的に接続されて、第１の接続コントローラの第５端によって出力されるアクティブ信号を受信し、Ｎ≧２であり且つＮは正の整数である。これに基づき、上述のゲート駆動回路を有するモバイル端末は、画像を表示するように構成された第１のピクセル回路及び第２のピクセル回路を含む。第１の駆動グループは、複数の第１のピクセル回路のみを含むディスプレイ部分領域を独立に駆動し得る。第２の駆動グループは、複数の第２のピクセル回路のみを含むディスプレイ部分領域を独立に駆動し得る。この場合、第１の接続コントローラは、互いに隣接する第１の駆動グループ及び第２の駆動グループ内のシフトレジスタをカスケード接続することで、カスケード接続の後に、互いに隣接する第１の駆動グループ及び第２の駆動グループによってそれぞれ制御される２つの隣接するディスプレイ部分領域が一緒になって同じ画像フレーム内の同じ画像を表示するようにし得る。あるいは、第１の接続コントローラは、互いに隣接する第１の駆動グループと第２の駆動グループとの間の経路を切断し得る。第１の接続コントローラは、画像を独立に表示するように、第２の駆動グループに接続されたディスプレイ部分領域を制御する。
【０００７】
オプションで、ゲート駆動回路は更に、第２の接続コントローラ及び第３の駆動グループを含む。第２の接続コントローラの第１端が、第２の駆動グループの出力端に電気的に接続されて、第２の駆動グループによって出力されるアクティブ信号を受信する。第２の接続コントローラの第２端が、ディスプレイドライバの第２の信号端に電気的に接続されて、ディスプレイドライバの第２の信号端によって出力されるカスケードゲーティング信号を受信する。第２の接続コントローラの第３端が、ディスプレイドライバの第３の信号端に電気的に接続されて、ディスプレイドライバの第３の信号端によって出力される分割画面ゲーティング信号を受信する。第２の接続コントローラの第４端が、ディスプレイドライバの第４の信号端に電気的に接続されて、ディスプレイドライバの第４の信号端によって出力される分割画面表示信号を受信する。また、第３の駆動グループは、Ｓ個のカスケード接続されたシフトレジスタを含み、第３の駆動グループの入力端が、第２の接続コントローラの第５端に電気的に接続されて、第２の接続コントローラの第５端によって出力されるアクティブ信号を受信し、Ｓ≧２であり且つＳは正の整数である。これに基づき、上述のゲート駆動回路を有するモバイル端末は、画像を表示するように構成された第１のピクセル回路、第２のピクセル回路、及び第３のピクセル回路を含む。第１の駆動グループは、複数の第１のピクセル回路のみを含むディスプレイ部分領域を独立に駆動し得る。第２の駆動グループは、複数の第２のピクセル回路のみを含むディスプレイ部分領域を独立に駆動し得る。第３の駆動グループは、複数の第３のピクセル回路のみを含むディスプレイ部分領域を独立に駆動し得る。この場合、第１の接続コントローラは、互いに隣接する第１の駆動グループ及び第２の駆動グループ内のシフトレジスタをカスケード接続し得る。第２の接続コントローラは、互いに隣接する第２の駆動グループ及び第３の駆動グループ内のシフトレジスタをカスケード接続し得る。カスケード接続の後に、互いに隣接する第１の駆動グループ、第２の駆動グループ、及び第３の駆動グループによってそれぞれ制御される３つの隣接するディスプレイ部分領域が一緒になって同じ画像フレーム内の同じ画像を表示する。あるいは、第１の接続コントローラは、互いに隣接する第１の駆動グループと第２の駆動グループとの間の経路を切断することができ、第２の接続コントローラは、互いに隣接する第２の駆動グループと第３の駆動グループとの間の経路を切断することができる。第１の接続コントローラは、画像を独立に表示するように、第２の駆動グループに接続されたディスプレイ部分領域を制御する。第２の接続コントローラは、画像を独立に表示するように、第３の駆動グループに接続されたディスプレイ部分領域を制御する。
【０００８】
オプションで、第１の接続コントローラは、第１のスイッチ及び第２のスイッチを含む。第１のスイッチは、ディスプレイドライバの第２の信号端と、第１の駆動グループの出力端と、第２の駆動グループの入力端とに電気的に接続される。第１のスイッチは、ディスプレイドライバの第２の信号端によって出力されるカスケードゲーティング信号を受信するように構成され、カスケードゲーティング信号の制御下でイネーブル又はディセーブルされ、該イネーブルされた状態で、受信した、第１の駆動グループの出力端によって出力されるアクティブ信号を、第２の駆動グループの入力端に伝える。斯くして、第１のスイッチのイネーブル又はディセーブルを制御することによって、第１の駆動グループと第２の駆動グループとの間の経路のカスケード接続又は切断を制御することができる。また、第２のスイッチは、ディスプレイドライバの第３の信号端と、ディスプレイドライバの第４の信号端と、第２の駆動グループの入力端とに電気的に接続される。第２のスイッチは、ディスプレイドライバの第３の信号端によって出力される分割画面ゲーティング信号を受信するように構成され、分割画面ゲーティング信号の制御下でイネーブル又はディセーブルされ、該イネーブルされた状態で、受信した、ディスプレイドライバの第４の信号端によって出力される分割画面表示信号を、第２の駆動グループの入力端に伝える。斯くして、第２のスイッチのイネーブル又はディセーブルを制御することによって、画像を独立に表示するように又はスクリーンオフ状態に留まるように、第２の駆動グループに接続されたディスプレイ部分領域を制御することができる。
【０００９】
オプションで、第１のスイッチは第１のトランジスタを含む。第１のトランジスタのゲートが、ディスプレイドライバの第２の信号端に電気的に接続され、第１のトランジスタの第１の電極が、第１の駆動グループの出力端に電気的に接続され、第１のトランジスタの第２の電極が、第２の駆動グループの入力端に電気的に接続される。斯くして、第１のトランジスタのゲートに入力される電圧を制御することによって、第１のスイッチのイネーブル及びディセーブルを制御することができる。また、第２のスイッチは第２のトランジスタを含む。第２のトランジスタのゲートが、ディスプレイドライバの第３の信号端に電気的に接続され、第２のトランジスタの第１の電極が、ディスプレイドライバの第４の信号端に電気的に接続され、第２のトランジスタの第２の電極が、第２の駆動グループの入力端に電気的に接続される。斯くして、第２のトランジスタのゲートに入力される電圧の大きさを制御することによって、第２のスイッチのイネーブル及びディセーブルを制御することができる。
【００１０】
オプションで、第１の駆動グループ又は第２の駆動グループ内で、最初のレベルのシフトレジスタ以外の複数のシフトレジスタにおいて、上位レベルのシフトレジスタの信号出力端が、下位レベルのシフトレジスタの信号入力端に電気的に接続される。このようなものに基づき、第１のトランジスタの第１の電極は、第１の駆動グループ内の最後のレベルのシフトレジスタの信号出力端に電気的に接続され、第１のトランジスタの第２の電極は、第２の駆動グループ内の最初のレベルのシフトレジスタの信号入力端に電気的に接続される。第２のトランジスタの第２の電極は、第２の駆動グループ内の最初のレベルのシフトレジスタの信号入力端に電気的に接続される。斯くして、第１の駆動グループと第２の駆動グループとの間に、１つの第１の接続コントローラのみを配置すればよい。
【００１１】
この出願の実施形態の他の一態様によれば、モバイル端末が提供される。当該モバイル端末は、上述のいずれかのゲート駆動回路の少なくとも１つを含む。当該モバイル端末は更に、画像を表示するように構成された第１のピクセル回路及び第２のピクセル回路を含む。ゲート駆動回路の第１の駆動グループ内で、各レベルのシフトレジスタの信号出力端が、第１のピクセル回路内の一部のトランジスタのゲートに電気的に接続される。ゲート駆動回路の第２の駆動グループ内で、各レベルのシフトレジスタの信号出力端が、第２のピクセル回路内の一部のトランジスタのゲートに電気的に接続される。当該モバイル端末は、上述の実施形態で提供されるゲート駆動回路と同じ技術的効果を有する。詳細をここで再び説明することはしない。
【００１２】
オプションで、ピクセル回路は各々、発光コンポーネントと、該発光コンポーネントが発光するときにターンオン状態にある発光制御トランジスタとを含む。第１の駆動グループ内で、各レベルのシフトレジスタの信号出力端が、第１のピクセル回路内の発光制御トランジスタのゲートに電気的に接続される。第２の駆動グループ内で、各レベルのシフトレジスタの信号出力端が、第２のピクセル回路内の発光制御トランジスタのゲートに電気的に接続される。発光制御信号の制御下で、第１のピクセル回路又は第２のピクセル回路内の駆動トランジスタによって生成される駆動電流が発光コンポーネントに伝えられて、光を発するように発光コンポーネントを駆動し、その結果、第１のピクセル回路又は第２のピクセル回路を有するサブピクセルが表示を行う。従って、発光制御信号は主に、表示を行うようにサブピクセルを制御するために使用される。従って、ディスプレイパネル内の各ディスプレイ部分領域が独立に表示を行うことを可能にするため、ゲート駆動回路内の第１の駆動グループ及び第２の駆動グループが、サブピクセル内の発光トランジスタのゲートに接続される。
【００１３】
オプションで、モバイル端末は２つのゲート駆動回路を含み、該２つのゲート駆動回路は、それぞれ、第１のゲート駆動回路、第２のゲート駆動回路である。第１のゲート駆動回路において、各第１の駆動グループ内の各レベルのシフトレジスタの信号出力端が、奇数番目の行又は列の第１のピクセル回路内の一部のトランジスタのゲートに電気的に接続され、各第２の駆動グループ内の各レベルのシフトレジスタの信号出力端が、奇数番目の行又は列の第２のピクセル回路内の一部のトランジスタのゲートに電気的に接続される。第２のゲート駆動回路において、各第１の駆動グループの各レベルのシフトレジスタの信号出力端が、偶数番目の行又は列の第１のピクセル回路内の一部のトランジスタのゲートに電気的に接続され、各第２の駆動グループ内の各レベルのシフトレジスタの信号出力端が、偶数番目の行又は列の第２のピクセル回路内の一部のトランジスタのゲートに電気的に接続される。斯くして、第１のゲート駆動回路及び第２のゲート駆動回路を用いて、それぞれ、奇数番目の行（又は列）及び偶数番目の行（又は列）のサブピクセルを駆動することができる。
【００１４】
オプションで、ディスプレイドライバは、ディスプレイドライバ集積回路を含み、該ディスプレイドライバ集積回路は、第１の信号端、第２の信号端、第３の信号端、及び第４の信号端を含む。第１の信号端は、スタート信号を送信するように構成される。第２の信号端は、カスケードゲーティング信号を送信するように構成される。第３の信号端は、分割画面ゲーティング信号を送信するように構成される。第４の信号端は、分割画面表示信号を送信するように構成される。この場合、ゲート駆動回路がディスプレイドライバ集積回路に接続された後、ディスプレイドライバ集積回路は、第１の信号端を用いることによって、第１レベルのシフトレジスタにスタート信号を提供し得るとともに、第１の接続コントローラにカスケードゲーティング信号、分割画面ゲーティング信号、及び分割画面表示信号を提供し得る。
【００１５】
オプションで、モバイル端末は更に下地基板を含む。下地基板上に第１のピクセル回路及び第２のピクセル回路が製造されている。加えて、下地基板を構成する材料は可撓性樹脂材料を含む。この場合、モバイル端末のディスプレイパネルは、屈曲可能なフレキシブルディスプレイ基板である。
【００１６】
この出願の実施形態の他の一態様によれば、ゲート駆動回路を制御する方法が提供される。ゲート駆動回路は、第１の駆動グループ、第１の接続コントローラ、及び第２の駆動グループを含む。第１の駆動グループは、Ｍ個のカスケード接続されたシフトレジスタを含み、第１の駆動グループの入力端が、ディスプレイドライバの第１の信号端に電気的に接続され、Ｍ≧２であり且つＭは正の整数である。第１の接続コントローラの第１端が、第１の駆動グループの出力端に電気的に接続される。第１の接続コントローラの第２端が、ディスプレイドライバの第２の信号端に電気的に接続される。第１の接続コントローラの第３端が、ディスプレイドライバの第３の信号端に電気的に接続される。第１の接続コントローラの第４端が、ディスプレイドライバの第４の信号端に電気的に接続される。第２の駆動グループは、Ｎ個のカスケード接続されたシフトレジスタを含み、第２の駆動グループの入力端が、第１の接続コントローラの第５端に電気的に接続され、Ｎ≧２であり且つＮは正の整数である。また、第１の接続コントローラは、第１のスイッチ及び第２のスイッチを含む。第１のスイッチは、ディスプレイドライバの第２の信号端と、第１の駆動グループの出力端と、第２の駆動グループの入力端とに電気的に接続される。第２のスイッチは、ディスプレイドライバの第３の信号端と、ディスプレイドライバの第４の信号端と、第２の駆動グループの入力端とに電気的に接続される。この場合、ゲート駆動回路を制御する当該方法は、先ず、第１のスイッチにより、ディスプレイドライバの第２の信号端によって出力された非アクティブなカスケードゲーティング信号を受信し、その結果、第１のスイッチがディセーブルされて、第１の駆動グループと第２の駆動グループとの間の経路が切断され、次に、第２のスイッチにより、ディスプレイドライバの第３の信号端によって出力されたアクティブな分割画面ゲーティング信号を受信し、その結果、第２のスイッチがイネーブルされ、次に、第２のスイッチにより、ディスプレイドライバの第４の信号端によって出力されたアクティブな分割画面表示信号を受信し、該アクティブな分割画面表示信号が、イネーブルされた第２のスイッチを介して第２の駆動グループの入力端に出力され、第２の駆動グループ内のＮ個のシフトレジスタの信号出力端が順次にゲート駆動信号を出力する、又は、第２のスイッチにより、ディスプレイドライバの第４の信号端によって出力された非アクティブな分割画面表示信号を受信し、該非アクティブな分割画面表示信号が、イネーブルされた第２のスイッチを介して第２の駆動グループの入力端に出力され、第２の駆動グループ内の全てのシフトレジスタの信号出力端が非ゲート駆動信号を出力する、ことを含む。
【００１７】
オプションで、当該方法は更に、第１の駆動グループの入力端により、ディスプレイドライバの第１の信号端によって出力されたアクティブなスタート信号を受信し、第１の駆動グループ内の全てのレベルのシフトレジスタの信号出力端が順次にゲート駆動信号を出力する、ことを含む。この場合、第２の駆動グループ内の全てのシフトレジスタの信号出力端が非ゲート駆動信号を出力した後、第１の駆動グループによって制御されるディスプレイ部分領域及び第２の駆動グループによって制御されるディスプレイ部分領域が、それぞれ、第１の画像及び２の画像を表示し得る。
【図面の簡単な説明】
【００１８】
【図１】この出願の一部の実施形態に従ったディスプレイパネルの概略構造図である。
【図２】図１中のピクセル回路及びゲート駆動回路の概略構造図である。
【図３】図１中の他のピクセル回路の概略構造図である。
【図４】図３に示したピクセル回路における各信号端の制御フローチャートである。
【図５】この出願の一部の実施形態に従ったモバイル端末の概略構造図である。
【図６Ａ】図６Ａ及び図６Ｂは、図１中のピクセル回路及びゲート駆動回路の概略構造図であり、ゲート駆動回路は、例えば発光駆動回路である。
【図６Ｂ】図６Ａ及び図６Ｂは、図１中のピクセル回路及びゲート駆動回路の概略構造図であり、ゲート駆動回路は、例えば発光駆動回路である。
【図７ａ】この出願の一部の実施形態に従った他のモバイル端末の概略構造図である。
【図７ｂ】この出願の一部の実施形態に従った他のモバイル端末の概略構造図である。
【図７ｃ】この出願の一部の実施形態に従った他のモバイル端末の概略構造図である。
【図８】この出願の一部の実施形態に従った他のモバイル端末の概略構造図である。
【図９Ａ】図９Ａ及び図９Ｂは、図７ｂ又は図８中のゲート駆動回路の概略構造図である。
【図９Ｂ】図９Ａ及び図９Ｂは、図７ｂ又は図８中のゲート駆動回路の概略構造図である。
【図１０】図７ｂ又は図８中の他のゲート駆動回路の概略構造図である。
【図１１】この出願の一部の実施形態に従ったモバイル端末上でのディスプレイ部分領域の分割の概略図である。
【図１２】図１１に示したモバイル端末上での画像表示の一タイプの概略図である。
【図１３ａ】図１１に示したモバイル端末上での画像表示の他の一タイプの概略図である。
【図１３ｂ】モバイル端末が曲げられた後の、図１３ａに示したモバイル端末の概略構造図である。
【図１４】この出願の一部の実施形態に従った他のモバイル端末上でのディスプレイ部分領域の分割の概略図である。
【図１５】図１１に示したモバイル端末上での画像表示の一タイプの概略図である。
【図１６ａ】図１５に示したモバイル端末の屈曲状態の概略図である。
【図１６ｂ】モバイル端末が曲げられた後の、図１６ａに示したモバイル端末の概略構造図である。
【図１７】図１１に示したモバイル端末の屈曲状態の概略図である。
【図１８ａ】図１１に示したモバイル端末の他の屈曲状態の概略図である。
【図１８ｂ】図１１に示したモバイル端末の他の屈曲状態の概略図である。
【図１９】図１１に示したモバイル端末の他の屈曲状態の概略図である。
【図２０】この出願の一実施形態に従ったゲート駆動回路の概略構造図である。
【図２１】この出願の一実施形態に従ったゲート駆動回路を制御する方法のフローチャートである。
【００１９】
参照番号：
０１：ゲート駆動回路、    １０：ディスプレイパネル、    １００：アクティブ表示領域、    １０１：非表示領域、    ２０：サブピクセル、    ２０１：ピクセル回路、    １１：駆動グループ、    １２：接続コントローラ
【発明を実施するための形態】
【００２０】
以下、この出願の実施形態の添付図面を参照して、この出願の実施形態における技術的ソリューションを説明する。明らかなことには、説明される実施形態は、この出願の実施形態の一部であり、全てではない。
【００２１】
以下での例えば“第１”及び“第２”などの用語は、単に説明目的でのものであり、相対的な重要性を示したり暗示したりするもの又は示される技術的特徴の数量を暗示的に示すものとして理解されるはずがない。従って、“第１”及び“第２”によって規定されるフィーチャは、１つ以上のフィーチャを明示的又は暗示的に含むことができる。
【００２２】
また、この出願において、例えば“上”、“下”、“左”、“右”、“水平”及び“垂直”などの方向の用語は、添付図面に示されたコンポーネントの配置位置に関して規定されるものである。理解されるべきことには、これらの方向の用語は、相対的概念であって、相対性を記載して明確にするために使用されており、また、添付図面におけるコンポーネントの配置位置が変わると、それに従って変わり得る。
【００２３】
この出願の一部の実施形態は、（図１に示すような）ゲート駆動回路０１を提供する。ゲート駆動回路０１は、ゲートドライバ・オン・アレイ（Gate  Driver  on  Array、ＧＯＡ）技術を使用することができ、ゲート駆動回路０１は、ディスプレイパネルの下地基板上に製造される。ゲート駆動回路は、表示を行うよう、ディスプレイパネル上のピクセル回路を駆動するように構成される。
【００２４】
この出願の一部の実施形態はモバイル端末を提供する。ゲート駆動回路０１はモバイル端末に適用されることができ、モバイル端末は、例えば、携帯電話、タブレットコンピュータ、携帯情報端末（personal  digital  assistant、ＰＤＡ）、又は車載コンピュータを含む。モバイル端末の具体的形態は、この出願の実施形態において特に限定されることではない。
【００２５】
モバイル端末は、図１に示すディスプレイパネル１０を含む。ディスプレイパネル１０は、アクティブ表示領域（active  area、ＡＡ）１００と、アクティブ表示領域１００の周辺に位置する非表示領域１０１とを含む。
【００２６】
アクティブ表示領域１００は、複数のサブピクセル（sub  pixel）２０を含む。説明を容易にするため、複数のサブピクセル２０がマトリクスの形態で配列される例を用いて説明を提供する。この場合、水平方向Ｘのラインに配列されたサブピクセル２０を、同じ行のサブピクセルとして参照し、垂直方向Ｙのラインに配列されたサブピクセル２０を、同じ列のサブピクセルとして参照する。表示を行うようサブピクセル２０を制御するように構成されたピクセル回路２０１が、サブピクセル２０内に配置される。ピクセル回路２０１は、複数のトランジスタを含む。
【００２７】
また、図１に示すように、ゲート駆動回路０１は非表示領域１０１に配置される。ゲート駆動回路０１は、複数のシフトレジスタ（shift  register、略してＳＲ）を含む。各シフトレジスタＳＲの信号出力端（OUTput、略してＯｐｕｔ）が、サブピクセル２０の行内の少なくとも１つのトランジスタのゲートにゲート駆動信号を提供することができる。
【００２８】
この場合、例えば、図１に示すように、複数のシフトレジスタＳＲが順にカスケード接続されるとき、第１レベルのシフトレジスタＳＲ１の信号出力端Ｏｐｕｔが、第２レベルのシフトレジスタＳＲ２の信号入力端（INput、略してＩｐｕｔ）に接続される。第２レベルのシフトレジスタＳＲ２は、第１レベルのシフトレジスタＳＲ１に隣接している。
【００２９】
第２レベルのシフトレジスタＳＲ２の信号出力端Ｏｐｕｔが、第３レベルのシフトレジスタＳＲ３の信号入力端Ｉｐｕｔに接続される。第３レベルのシフトレジスタＳＲ３は、第２レベルのシフトレジスタＳＲ２に隣接している。
【００３０】
さらに、他のシフトレジスタＳＲをカスケード接続するやり方は、上述の方法と同じである。
【００３１】
第１レベルのシフトレジスタＳＲ１の信号入力端Ｉｐｕｔが、スタート信号（start  vertical  frame  signal、略してＳＴＶ）を受信するように構成される。スタート信号ＳＴＶがハイ電圧（High  voltage）にあるとき、スタート信号ＳＴＶはアクティブな信号であり、第１レベルのシフトレジスタＳＲ１がスタートされる。
【００３２】
スタート信号ＳＴＶがロー電圧（low  voltage）にあるとき、スタート信号ＳＴＶは非アクティブな信号であり、この場合には、第１レベルのシフトレジスタＳＲ１は動作しない。
【００３３】
これに基づき、第１レベルのシフトレジスタＳＲ１は、第１行のサブピクセル２０内にあって第１レベルのシフトレジスタＳＲ１の信号出力端Ｏｐｕｔに接続されたトランジスタのゲートにゲート駆動信号を提供する。また、第１レベルのシフトレジスタＳＲ１は更に、第２レベルのシフトレジスタＳＲ２の信号入力端Ｉｐｕｔにスタート信号を提供して、第２レベルのシフトレジスタＳＲ２をスタートさせる。
【００３４】
次に、第２レベルのシフトレジスタＳＲ２は、第２行のサブピクセル２０内にあって第２レベルのシフトレジスタＳＲ２の信号出力端Ｏｐｕｔに接続されたトランジスタのゲートにゲート駆動信号を提供する。また、第２レベルのシフトレジスタＳＲ２は更に、第３レベルのシフトレジスタＳＲ２の信号入力端Ｉｐｕｔにスタート信号を提供して、第３レベルのシフトレジスタＳＲ３をスタートさせる。
【００３５】
次に、第３レベルのシフトレジスタＳＲ３は、第３行のサブピクセル２０内にあって第３レベルのシフトレジスタＳＲ３の信号出力端Ｏｐｕｔに接続されたトランジスタのゲートにゲート駆動信号を提供する。また、第３レベルのシフトレジスタＳＲ３は更に、第３レベルのシフトレジスタＳＲ３にカスケード接続された１つのレベルのシフトレジスタの信号入力端Ｉｐｕｔにスタート信号を提供する。斯くして、上述の複数のカスケードされたシフトレジスタＳＲを用いることによって、順に配列された複数行のサブピクセル２０が行ごとに走査され得る。
【００３６】
なお、上述の説明は全て、ゲート駆動回路０１内の１つのレベルのシフトレジスタＳＲが１つの行（又は列）のサブピクセル２０を制御して表示を行う例を用いて与えられている。この出願の一部の他の実施形態では、１つのレベルのシフトレジスタＳＲが、代わりに、少なくとも２つの行（又は列）のサブピクセル２０を制御して表示を行ってもよい。シフトレジスタＳＲの内部構造は、この出願の実施形態において限定されることではない。
【００３７】
以下、サブピクセル２０内のピクセル回路２０１を示す。
【００３８】
例えば、ディスプレイパネル１０が液晶ディスプレイパネルである場合、図２に示すように、ピクセル回路２０１は、トランジスタＭ及び液晶キャパシタＣを含む。液晶キャパシタＣの２つのプレートが、それぞれ、ピクセル電極及び共通電極である。この場合、トランジスタＭのゲートが、ゲート駆動回路０１内の１つのレベルのシフトレジスタＳＲの信号出力端Ｏｐｕｔに接続され得る。
【００３９】
あるいは、他の一例では、ディスプレイパネル１０が発光ダイオードディスプレイパネル又は有機発光ダイオード（organic  light  emitting  diode、ＯＬＥＤ）ディスプレイパネルである場合、図３に示すように、サブピクセル２０内のピクセル回路２０１は、キャパシタＣ、複数のスイッチトランジスタ（Ｍ１、Ｍ２、Ｍ３、Ｍ５、Ｍ６、及びＭ７）、及び１つの駆動トランジスタＭ４を含み得る。
【００４０】
一部のスイッチトランジスタ（例えば、Ｍ１及びＭ７）のゲートが、図４に示す第１のゲーティング信号Ｎ−１を受信するように構成される。他の一部のスイッチトランジスタ（例えば、Ｍ２及びＭ３）のゲートが、図４に示す第２のゲーティング信号Ｎを受信するように構成される。更なる他の一部のスイッチトランジスタ（例えば、Ｍ５及びＭ６）のゲートが、図４に示す発光制御信号ＥＭを受信するように構成される。
【００４１】
なお、図３に示すピクセル回路の動作プロセスは、図４に示す３つのステージ、すなわち、ステージ（１）、ステージ（２）、及びステージ（３）を含む。
【００４２】
ステージ（１）にて、図３中のトランジスタＭ１及びトランジスタＭ７が、第１のゲーティング信号Ｎ−１の制御下でターンオンされる。初期電圧Ｖｉｎｔが、トランジスタＭ１及びトランジスタＭ７を介して駆動トランジスタＭ４のゲート（gate、略してｇ）及びＯＬＥＤのアノード（anode、略してａ）に別々に伝送され、ＯＬＥＤのアノードａ及び駆動トランジスタＭ４のゲートｇをリセットする。
【００４３】
ステージ（２）にて、第２のゲーティング信号Ｎの制御下で、トランジスタＭ２がターンオンされ、駆動トランジスタＭ４のゲートｇとドレイン（drain、略してｄ）とが電気的に接続され、駆動トランジスタＭ４がダイオードオン状態となる。この場合、トランジスタＭ２を介してデータ信号Ｖｄａｔａが駆動トランジスタＭ４のソース（source、略してｓ）に書き込まれ、駆動トランジスタＭ４の閾値電圧Ｖｔｈが補償される。
【００４４】
ステージ（３）にて、発光制御信号ＥＭの制御下で、トランジスタＭ５及びトランジスタＭ６がターンオンされて、電圧ＥＬＶＤＤとＥＬＶＳＳとの間の電流経路がターンオンされる。該電流経路を通って、駆動トランジスタＭ４によって生成される駆動電流ＩｓｄがＯＬＥＤに伝送され、光を発するようにＯＬＥＤを駆動する。
【００４５】
この場合、図５に示すように、それぞれ、第１のゲーティング信号Ｎ−１を発するように構成されたゲート駆動回路０１＿Ａ、第２のゲーティング信号Ｎを発するように構成されたゲート駆動回路０１＿Ｂ、及び発光制御信号ＥＭを発するように構成されたゲート駆動回路０１＿Ｃ、である３つのゲート駆動回路０１が、ディスプレイパネル１０の非表示領域１０１に配置される。
【００４６】
これに基づき、図６Ａ及び図６Ｂに示すように、同じ行のサブピクセル２０の各ピクセル回路２０１において、スイッチトランジスタＭ５及びＭ６のゲートが、ゲート駆動回路０１＿Ｃ内の１つのレベルのシフトレジスタＳＲの信号出力端Ｏｐｕｔに接続され得る。
【００４７】
さらに、類似性によって分かることには、スイッチトランジスタＭ１及びＭ７のゲートが、ゲート駆動回路０１＿Ａ内の１つのレベルのシフトレジスタＳＲの信号出力端Ｏｐｕｔに接続され得る。スイッチトランジスタＭ２及びＭ３のゲートが、ゲート駆動回路０１＿Ｂ内の１つのレベルのシフトレジスタＳＲの信号出力端Ｏｐｕｔに接続され得る。
【００４８】
以上の説明から分かることには、ゲート駆動回路０１内の複数のシフトレジスタＳＲが順にカスケード接続されているので、同じ画像フレーム内で、ゲート駆動回路０１内のシフトレジスタＳＲは、それぞれの信号出力端Ｏｐｕｔを用いることによって順次にゲート駆動信号を出力することができる。この場合、第１行のサブピクセル２０が走査された後に、他の行のサブピクセル２０も行ごとに走査され、その結果、アクティブ表示領域１００全体の全てのサブピクセル２０が一緒になって、同じ画像フレームを表示する。しかし、このように、ゲート駆動回路０１内の第１レベルのシフトレジスタＳＲ１以外のシフトレジスタＳＲは、上位レベルのシフトレジスタＳＲの信号出力端Ｏｐｕｔによって提供されるアクティブ信号を受信した後でのみスタートされることができ、スタート信号ＳＴＶを直接受信することはできない。従って、ユーザは、画像を独立に表示するようにアクティブ表示領域１００の一部ゾーンを制御することはできない。
【００４９】
上述の問題を解決するために、すなわち、ゾーンベースの独立表示を達成するようにアクティブ表示領域１００の一部が完全な画像を表示することを可能にするために、この出願の一部の実施形態では、図７ａに示すように、ディスプレイパネル１０のアクティブ表示領域１００が、例えばディスプレイ部分領域Ａ及びディスプレイ部分領域Ｂといった複数のディスプレイ部分領域に分割され得る。あるいは、図７ｂに示すように、ディスプレイパネル１０のアクティブ表示領域１００は、ディスプレイ部分領域Ａ、ディスプレイ部分領域Ｂ、及びディスプレイ部分領域Ｃに分割される。
【００５０】
これに基づき、順にカスケード接続されたゲート駆動回路０１内の複数の隣接するシフトレジスタが、１つの駆動グループ１１を形成する。いずれのシフトレジスタＳＲも、１つの駆動グループ１１のみに属する。
【００５１】
各駆動グループ１１が、独立して表示を行うように１つのディスプレイ部分領域を独立に制御することができるように、同じディスプレイ部分領域内のサブピクセル２０のピクセル回路２０１が、同じ駆動グループ１１に接続される。
【００５２】
ゲート駆動回路０１は、ディスプレイパネル１０の非表示領域１０１に配置されたディスプレイドライバに接続される。この開示の一部の実施形態において、ディスプレイドライバは、図７ａ又は図７ｂに示すディスプレイドライバ集積回路（display  driver  integrated  circuit、ＤＤＩＣ）とし得る。ゲート駆動回路０１は、ＤＤＩＣの第１の信号端（１）、第２の信号端（２）、第３の信号端（３）、及び第４の信号端（４）に接続される。
【００５３】
ＤＤＩＣの第１の信号端（１）は、ゲート駆動回路０１にスタート信号ＳＴＶを提供するように構成される。ＤＤＩＣの第２の信号端（２）は、ゲート駆動回路０１にカスケードゲーティング信号Ｓｅｌ１を提供するように構成される。ＤＤＩＣの第３の信号端（３）は、ゲート駆動回路０１に分割画面ゲーティング信号Ｓｅｌ２を提供するように構成される。ＤＤＩＣの第４の信号端（４）は、ゲート駆動回路０１に分割画面表示信号ＳＴＶ＿ｄを提供するように構成される。
【００５４】
さらに、図７ａ又は図７ｂに示すように、ディスプレイパネル１０の非表示領域１０１内に更に複数のマルチプレクサ（multiplexer、ＭＵＸ）が配置される。１つのＭＵＸが、複数のデータライン（data  line、ＤＬ）とＤＤＩＣとを電気的に接続するように構成される。
【００５５】
なお、説明を容易にするために、以下の説明は全て、ディスプレイドライバがＤＤＩＣである例を用いて与えられる。
【００５６】
これに基づき、図７ａに示す構造を例として用いるに、ゲート駆動回路０１は、例えば図７ａ中の駆動グループ１１＿Ａなどの第１の駆動グループと、図７ａ中の駆動グループ１１＿Ｂなどの第２の駆動グループと、例えば接続コントローラ１２＿Ｂなどの第１の接続コントローラとを含む。
【００５７】
この場合、モバイル端末は更に、画像を表示するように構成された第１のピクセル回路及び第２のピクセル回路を含む。第１のピクセル回路はディスプレイ部分領域Ａ内に位置し、第２のピクセル回路はディスプレイ部分領域Ｂ内に位置する。
【００５８】
ゲート駆動回路０１の第１の駆動グループ（駆動グループ１１＿Ａ）において、駆動グループ１１＿Ａがディスプレイ部分領域Ａを独立に制御するように、各レベルのシフトレジスタＳＲの信号出力端が、第１のピクセル回路内の一部のトランジスタのゲートに電気的に接続される。
【００５９】
ゲート駆動回路０２の第２の駆動グループ（駆動グループ１１＿Ｂ）において、駆動グループ１１＿Ｂがディスプレイ部分領域Ｂを独立に制御するように、各レベルのシフトレジスタＳＲの信号出力端が、第２のピクセル回路内の一部のトランジスタのゲートに電気的に接続される。
【００６０】
これに基づき、第１の駆動グループ（駆動グループ１１＿Ａ）は、Ｍ個のカスケード接続されたシフトレジスタＳＲを含む。第１の駆動グループの入力端が、ＤＤＩＣの第１の信号端（１）によって出力されるスタート信号ＳＴＶを受信するように、ＤＤＩＣの第１の信号端（１）に電気的に接続され、ここで、Ｍ≧２であり且つＭは正の整数である。
【００６１】
第１の接続コントローラ（接続コントローラ１２＿Ｂ）の第１端が、第１の駆動グループ（駆動グループ１１＿Ａ）によって出力されるアクティブ信号を受信するように、第１の駆動グループ（駆動グループ１１＿Ａ）の出力端に電気的に接続される。
【００６２】
第１の接続コントローラ（接続コントローラ１２＿Ｂ）の第２端が、ＤＤＩＣの第２の信号端（２）によって出力されるカスケードゲーティング信号Ｓｅｌ１を受信するように、ＤＤＩＣの第２の信号端（２）に電気的に接続される。
【００６３】
第１の接続コントローラ（接続コントローラ１２＿Ｂ）の第３端が、ＤＤＩＣの第３の信号端（３）によって出力される分割画面ゲーティング信号Ｓｅｌ２を受信するように、ＤＤＩＣの第３の信号端（３）に電気的に接続される。
【００６４】
第１の接続コントローラ（接続コントローラ１２＿Ｂ）の第４端が、ＤＤＩＣの第４の信号端（４）によって出力される分割画面表示信号ＳＴＶ＿ｄを受信するように、ＤＤＩＣの第４の信号端（４）に電気的に接続される。
【００６５】
第２の駆動グループ（駆動グループ１１＿Ｂ）は、Ｎ個のカスケードされたシフトレジスタＳＲを含む。第２の駆動グループ（駆動グループ１１＿Ｂ）の入力端が、第１の接続コントローラの第５端によって出力されるアクティブ信号を受信するように、第１の接続コントローラ（接続コントローラ１２＿Ｂ）の第５端に電気的に接続され、ここで、Ｎ≧２であり且つＮは正の整数であり、また、ＭとＮは同じであってもよいし、あるいは異なってもよい。この開示は、それに対して限定を設けるものではない。
【００６６】
図７ｂに示す構造を例として用いるに、ゲート駆動回路０１は、第１の駆動グループ（駆動グループ１１＿Ａ）、第１の接続コントローラ（接続コントローラ１２＿Ｂ）、及び第２の駆動グループ（駆動グループ１１＿Ｂ）を含むことに加えて、例えば接続コントローラ１２＿Ｃなどの第２の接続コントローラと、例えば駆動グループ１１＿Ｃなどの第３の駆動グループとを更に含む。
【００６７】
この場合、モバイル端末は更に、画像を表示するように構成された第１のピクセル回路、第２のピクセル回路、及び第３のピクセル回路を含む。第１のピクセル回路はディスプレイ部分領域Ａ内に位置し、第２のピクセル回路はディスプレイ部分領域Ｂ内に位置し、第３のピクセル回路はディスプレイ部分領域Ｃ内に位置する。
【００６８】
ゲート駆動回路０１の第１の駆動グループ（駆動グループ１１＿Ａ）において、駆動グループ１１＿Ａがディスプレイ部分領域Ａを独立に制御するように、各レベルのシフトレジスタＳＲの信号出力端が、第１のピクセル回路内の一部のトランジスタのゲートに電気的に接続される。
【００６９】
ゲート駆動回路０２の第２の駆動グループ（駆動グループ１１＿Ｂ）において、駆動グループ１１＿Ｂがディスプレイ部分領域Ｂを独立に制御するように、各レベルのシフトレジスタＳＲの信号出力端が、第２のピクセル回路内の一部のトランジスタのゲートに電気的に接続される。
【００７０】
ゲート駆動回路０２の第３の駆動グループ（駆動グループ１１＿Ｃ）において、駆動グループ１１＿Ｃがディスプレイ部分領域Ｃを独立に制御するように、各レベルのシフトレジスタＳＲの信号出力端が、第３のピクセル回路内の一部のトランジスタのゲートに電気的に接続される。
【００７１】
これに基づき、第２の接続コントローラ（接続コントローラ１２＿Ｃ）の第１端が、第２の駆動グループ（駆動グループ１１＿Ｂ）によって出力されるアクティブ信号を受信するように、第２の駆動グループ（駆動グループ１１＿Ｂ）の出力端に電気的に接続される。
【００７２】
第２の接続コントローラ（接続コントローラ１２＿Ｃ）の第２端が、ＤＤＩＣの第２の信号端（２）によって出力されるカスケードゲーティング信号Ｓｅｌ１を受信するように、ＤＤＩＣの第２の信号端（２）に電気的に接続される。
【００７３】
第２の接続コントローラ（接続コントローラ１２＿Ｃ）の第３端が、ＤＤＩＣの第３の信号端（３）によって出力される分割画面ゲーティング信号Ｓｅｌ２を受信するように、ＤＤＩＣの第３の信号端（３）に電気的に接続される。
【００７４】
第２の接続コントローラ（接続コントローラ１２＿Ｃ）の第４端が、ＤＤＩＣの第４の信号端（４）によって出力される分割画面表示信号ＳＴＶ＿ｄを受信するように、ＤＤＩＣの第４の信号端（４）に電気的に接続される。
【００７５】
さらに、第３の駆動グループ（駆動グループ１１＿Ｃ）は、Ｓ個のカスケードされたシフトレジスタＳＲを含む。第３の駆動グループ（駆動グループ１１＿Ｃ）の入力端が、第２の接続コントローラ（接続コントローラ１２＿Ｃ）の第５端によって出力されるアクティブ信号を受信するように、第２の接続コントローラ（接続コントローラ１２＿Ｃ）の第５端に電気的に接続され、ここで、Ｓ≧２であり且つＳは正の整数である。
【００７６】
なお、駆動グループ１１＿Ａ、駆動グループ１１＿Ｂ、駆動グループ１１＿Ｃのいずれもが駆動グループ１１である。説明を容易にするために、駆動グループ１１は、駆動グループ１１が配置される位置に従って、例えば“Ａ”、“Ｂ”、及び“Ｃ”などの文字を用いることによって区別されている。
【００７７】
この開示の実施形態では、説明を容易にするために、２つの隣接する駆動グループ１１を、上位レベルの駆動グループ及び下位レベルの駆動グループとして参照する。
【００７８】
なお、この出願の実施形態において、上位レベルの駆動グループは、スタート信号ＳＴＶを受信するように構成された第１レベルのシフトレジスタＳＲ１を含む駆動グループ１１である。あるいは、上位レベルの駆動グループは、２つの隣接する駆動グループ１１のうち、第１レベルのシフトレジスタＳＲ１に近い方の駆動グループ１１である。
【００７９】
下位レベルの駆動グループは、２つの隣接する駆動グループ１１のうち、第１レベルのシフトレジスタＳＲ１から遠い方の駆動グループ１１である。
【００８０】
例えば、図７ｂでは、駆動グループ１１＿Ａ及び駆動グループ１１＿Ｂのうち、駆動グループ１１＿Ａが、スタート信号ＳＴＶを受信するように構成された第１レベルのシフトレジスタＳＲ１を含んでいる。従って、駆動グループ１１＿Ａが上位レベルの駆動グループであり、駆動グループ１１＿Ｂが下位レベルの駆動グループである。
【００８１】
あるいは、駆動グループ１１＿Ｂ及び駆動グループ１１＿Ｃのうち、駆動グループ１１＿Ｂが、第１レベルのシフトレジスタＳＲ１に近い方の駆動グループである。従って、駆動グループ１１＿Ｂが上位レベルの駆動グループであり、駆動グループ１１＿Ｃが下位レベルの駆動グループである。
【００８２】
また、図７（ｂ）に示すように、上位レベルの駆動グループと下位レベルの駆動グループとの間に少なくとも１つの接続コントローラ１２が存在し、例えば、駆動グループ１１＿Ａと駆動グループ１１＿Ｂとの間に接続コントローラ１２＿Ｂがあり、駆動グループ１１＿Ｂと駆動グループ１１＿Ｃとの間に接続コントローラ１２＿Ｃがある。
【００８３】
なお、接続コントローラ１２＿Ｂ及び接続コントローラ１２＿Ｃのいずれもが接続コントローラ１２である。説明を容易にするために、接続コントローラ１２は、接続コントローラ１２が配置される位置に従って、例えば“Ｂ”及び“Ｃ”などの文字を用いることによって区別されている。
【００８４】
これに基づき、ＤＤＩＣの第２の信号端（２）によって提供されるカスケードゲーティング信号Ｓｅｌ１がアクティブな信号であり（例えば、Ｓｅｌ１がハイ電圧にあり）、且つＤＤＩＣの第３の信号端（３）によって提供される分割画面ゲーティング信号Ｓｅｌ２が非アクティブな信号である（例えば、Ｓｅｌ２がロー電圧である）とき、接続コントローラ１２は、カスケードゲーティング信号Ｓｅｌ１及び分割画面ゲーティング信号Ｓｅｌ２の制御下で上位レベルの駆動グループと下位レベルの駆動グループとを電気的に接続することで、上位レベルの駆動グループの信号が下位レベルの駆動グループに伝えられるようにする。
【００８５】
この場合、カスケード接続を実現するよう、上位レベルの駆動グループ内の１つのレベルのシフトレジスタＳＲの信号出力端Ｏｐｕｔが、下位レベルの駆動グループ内の１つのレベルのシフトレジスタＳＲの信号入力端Ｉｐｕｔに接続される。この場合、上位レベルの駆動グループによって制御されるディスプレイ部分領域と下位レベルの駆動グループによって制御されるディスプレイ部分領域とが一緒になって１つの画像を表示する。
【００８６】
また、ＤＤＩＣの第２の信号端（２）によって提供されるカスケードゲーティング信号Ｓｅｌ１が非アクティブな信号であり（例えば、Ｓｅｌ１がロー電圧にあり）、ＤＤＩＣの第３の信号端（３）によって提供される分割画面ゲーティング信号Ｓｅｌ２がアクティブな信号であり（例えば、Ｓｅｌ２がハイ電圧にあり）、且つＤＤＩＣの第４の信号端（４）によって提供される分割画面表示信号ＳＴＶ＿ｄがアクティブな信号である（例えば、ＳＴＶ＿ｄがハイ電圧にある）とき、接続コントローラ１２は、カスケードゲーティング信号Ｓｅｌ１及び分割画面ゲーティング信号Ｓｅｌ２の制御下で、上位レベルの駆動グループと下位レベルの駆動グループとの間の経路接続を切断する。接続コントローラ１２は、分割画面表示信号ＳＴＶ＿ｄを下位レベルの駆動グループに伝える。この場合、上位レベルの駆動グループによって制御されるディスプレイ部分領域は画像を表示せずにスクリーンオフ状態に留まり、下位レベルの駆動グループによって制御されるディスプレイ部分領域が独立して画像を表示する。
【００８７】
例えば、ディスプレイパネル１０は、フル高精細（Full  High  Definition、ＦＨＤ）ディスプレイパネルである。ディスプレイパネル１０の解像度は、１９２０×１０８０とし得る。
【００８８】
これに基づき、ディスプレイパネル１０が表示のために図１１又は図１２に示す縦長モードを使用する場合、表示画像は、垂直方向Ｙに引き伸ばされる。
【００８９】
図７ｂに示すように、ディスプレイパネル１０のアクティブ表示領域１００は、水平方向Ｘの１９２０行のサブピクセル２０を持ち、垂直方向Ｙの１０８０列のサブピクセルを持つ。
【００９０】
この場合、ディスプレイ部分領域Ａは、水平方向Ｘの行１−行６４０内のサブピクセル２０を含む。ディスプレイ部分領域Ｂは、水平方向Ｘの行６４１−行１２８０内のサブピクセル２０を含む。ディスプレイ部分領域Ｃは、水平方向Ｘの行１２８１−行１９２０内のサブピクセル２０を含む。
【００９１】
ディスプレイ部分領域Ａ、ディスプレイ部分領域Ｂ、及びディスプレイ部分領域Ｃは各々、垂直方向Ｙの１０８０列のサブピクセルを持つ。
【００９２】
ゲート駆動回路０１は、アクティブ表示領域１００の左側及び／又は右側に位置する。ゲート駆動回路０１がアクティブ表示領域１００の左側に位置する例を用いて説明を提供する。
【００９３】
この場合、例えば、ゲート駆動回路０１は、発光制御信号ＥＭを発するように構成される。図６Ａ及び図６Ｂに示したピクセル回路２０１では、トランジスタＭ５及びＭ６のゲートが発光制御信号ＥＭを受信する。トランジスタＭ５及びＭ６は、発光制御トランジスタである。
【００９４】
これに基づき、ディスプレイ部分領域Ａにおいて、同じ行のサブピクセル２０の各ピクセル回路２０１（すなわち、第１のピクセル回路）内の発光トランジスタＭ５及びＭ６のゲートは、駆動グループ１１＿Ａ内の１つのレベルのシフトレジスタＳＲに接続される。
【００９５】
ディスプレイ部分領域Ｂにおいて、同じ行のサブピクセル２０の各ピクセル回路２０１（すなわち、第２のピクセル回路）内の発光トランジスタＭ５及びＭ６のゲートは、駆動グループ１１＿Ｂ内の１つのレベルのシフトレジスタＳＲに接続される。
【００９６】
ディスプレイ部分領域Ｃにおいて、同じ行のサブピクセル２０の各ピクセル回路２０１（すなわち、第３のピクセル回路）内の発光トランジスタＭ５及びＭ６のゲートは、駆動グループ１１＿Ｃ内の１つのレベルのシフトレジスタＳＲに接続される。
【００９７】
接続コントローラ１２＿Ｂは、駆動グループ１１＿Ａ内の１つのレベルのシフトレジスタＳＲの信号出力端Ｏｐｕｔと、駆動グループ１１＿Ｂ内の１つのレベルのシフトレジスタＳＲの信号入力端Ｉｐｕｔとを接続する。
【００９８】
接続コントローラ１２＿Ｃは、駆動グループ１１＿Ｂ内の１つのレベルのシフトレジスタＳＲの信号出力端Ｏｐｕｔと、駆動グループ１１＿Ｃ内の１つのレベルのシフトレジスタＳＲの信号入力端Ｉｐｕｔとを接続する。
【００９９】
駆動グループ１１＿Ａと、駆動グループ１１＿Ｂと、駆動グループ１１＿Ｃとで経路を形成するとき、ディスプレイ部分領域Ａ、ディスプレイ部分領域Ｂ、及びディスプレイ部分領域Ｃが一緒になって同一の画像を表示するように、ゲート駆動回路０１全体が、アクティブ表示領域１００内のサブピクセル２０を行ごとに上から下に順に走査する。
【０１００】
なお、図７ｂに示すモバイル端末が携帯電話（例えば、１９２０×１０８０の解像度を持つ）である例を用いて説明を提供する。この場合、水平方向Ｘにおけるモバイル端末の寸法が、垂直方向Ｙにおけるモバイル端末の寸法よりも小さい。また、水平方向Ｘにおけるモバイル端末の寸法と垂直方向Ｙにおけるモバイル端末の寸法との間の比較的大きい差により、モバイル端末の外形が、図１２に示す狭くて長い形状をとる。
【０１０１】
この出願の他の一部の実施形態において、モバイル端末は、図７ｃに示すようなタブレットコンピュータ（１９２０×１２００の解像度を有する）であってもよい。
【０１０２】
モバイル端末におけるディスプレイ部分領域の分割及びゲート駆動回路における駆動グループ１１の設定方法は、図７ｂにおけるものと同様である。水平方向Ｘにおけるタブレットコンピュータの寸法はやはり垂直方向Ｙにおけるタブレットコンピュータの寸法よりも小さいとし得る。携帯電話と比較して、タブレットコンピュータは、水平方向Ｘにおける寸法と垂直方向Ｙにおける寸法との間に小さい差を持ち、モバイル端末の外形が正方形に近い、ということに違いがある。説明を容易にするために、以下の実施形態は全て、モバイル端末が携帯電話である例を用いて説明される。
【０１０３】
この出願の更なる他の一部の実施形態にて提供されるモバイル端末のディスプレイパネル１０が、表示のために図１４又は図１５に示す横長モードを使用する場合、表示画像は水平方向Ｘに引き伸ばされる。
【０１０４】
図８に示すように、アクティブ表示領域１００は、水平方向Ｘの１０８０行のサブピクセル２０を持ち、垂直方向Ｙの１９２０列のサブピクセルを持つ。
【０１０５】
この場合、ディスプレイ部分領域Ａは、垂直方向Ｙの列１−列６４０内のサブピクセル２０を含む。ディスプレイ部分領域Ｂは、垂直方向Ｙの列６４１−列１２８０内のサブピクセル２０を含む。ディスプレイ部分領域Ｃは、垂直方向Ｙの列１２８１−列１９２０内のサブピクセル２０を含む。
【０１０６】
ディスプレイ部分領域Ａ、ディスプレイ部分領域Ｂ、及びディスプレイ部分領域Ｃは各々、水平方向Ｘの１０８０行のサブピクセルを持つ。
【０１０７】
ゲート駆動回路０１は、アクティブ表示領域１００の上側及び／又は下側に位置する。ゲート駆動回路０１がアクティブ表示領域１００の下側に位置する例にて説明を提供する。
【０１０８】
この場合、例えば、ゲート駆動回路０１は、発光制御信号ＥＭを発するように構成される。図６Ａ及び図６Ｂに示したピクセル回路２０１では、トランジスタＭ５及びＭ６のゲートが発光制御信号ＥＭを受信する。
【０１０９】
これに基づき、ディスプレイ部分領域Ａにおいて、列をなすサブピクセル２０のピクセル回路２０１内のトランジスタＭ５及びＭ６のゲートは、駆動グループ１１＿Ａ内の１つのレベルのシフトレジスタＳＲに接続される。
【０１１０】
ディスプレイ部分領域Ｂにおいて、列をなすサブピクセル２０のピクセル回路２０１内のトランジスタＭ５及びＭ６のゲートは、駆動グループ１１＿Ｂ内の１つのレベルのシフトレジスタＳＲに接続される。
【０１１１】
ディスプレイ部分領域Ｃにおいて、列をなすサブピクセル２０のピクセル回路２０１内のトランジスタＭ５及びＭ６のゲートは、駆動グループ１１＿Ｃ内の１つのレベルのシフトレジスタＳＲに接続される。
【０１１２】
接続コントローラ１２＿Ｂは、駆動グループ１１＿Ａ内の１つのレベルのシフトレジスタＳＲの信号出力端Ｏｐｕｔと、駆動グループ１１＿Ｂ内の１つのレベルのシフトレジスタＳＲの信号入力端Ｉｐｕｔとを接続する。
【０１１３】
接続コントローラ１２＿Ｃは、駆動グループ１１＿Ｂ内の１つのレベルのシフトレジスタＳＲの信号出力端Ｏｐｕｔと、駆動グループ１１＿Ｃ内の１つのレベルのシフトレジスタＳＲの信号入力端Ｉｐｕｔとを接続する。
【０１１４】
駆動グループ１１＿Ａと、駆動グループ１１＿Ｂと、駆動グループ１１＿Ｃとで経路を形成するとき、ディスプレイ部分領域Ａ、ディスプレイ部分領域Ｂ、及びディスプレイ部分領域Ｃが一緒になって同一の画像を表示するように、ゲート駆動回路０１全体が、アクティブ表示領域１００内のサブピクセル２０を列ごとに左から右に順に走査する。
【０１１５】
図７ｂ又は図８に示すいずれの表示手法においても、接続コントローラ１２は、接続コントローラ１２に接続された上位レベルの駆動グループと下位レベルの駆動グループとの間の接続経路を接続又は切断し得る。
【０１１６】
例えば、接続コントローラ１２＿Ｂが駆動グループ１１＿Ａと駆動グループ１１＿Ｂとの間の接続経路を切断する場合、接続コントローラ１２＿Ｂは、ＳＴＶ＿ｄ＿Ｂ信号を駆動グループ１１＿Ｂに伝えて、独立して表示を行うようにディスプレイ部分領域Ｂを制御し得る。
【０１１７】
接続コントローラ１２＿Ｃが駆動グループ１１＿Ｂと駆動グループ１１＿Ｃとの間の接続経路を切断する場合、接続コントローラ１２＿Ｃは、ＳＴＶ＿ｄ＿Ｃ信号を駆動グループ１１＿Ｃに伝えて、独立して表示を行うようにディスプレイ部分領域Ｃを制御し得る。
【０１１８】
また、接続コントローラ１２＿Ｂが駆動グループ１１＿Ａと駆動グループ１１＿Ｂとの間の接続経路を切断し、且つ接続コントローラ１２＿Ｃが駆動グループ１１＿Ｂと駆動グループ１１＿Ｃとの間の接続経路を切断する場合、スタート信号ＳＴＶが、駆動グループ１１＿Ａにハイ電圧を提供して、駆動グループ１１＿Ａが、独立して表示を行うようにディスプレイ部分領域Ａを制御することを可能にする。
【０１１９】
なお、分割画面ゲーティング信号ＳＴＶ＿ｄ＿Ｂ及び分割画面ゲーティング信号ＳＴＶ＿ｄ＿Ｃのいずれも、上述の分割画面ゲーティング信号ＳＴＶ＿ｄである。説明を容易にするために、分割画面ゲーティング信号ＳＴＶ＿ｄは、ゲート駆動回路０１内で分割画面ゲーティング信号ＳＴＶ＿ｄが受信される異なる位置に基づいて、例えば“Ｂ”及び“Ｃ”などの文字を用いることによって区別されている。
【０１２０】
さらに、図７ｂ又は図８の説明のための例において、ゲート駆動回路０１は、アクティブ表示領域１０の片側に位置している。モバイル端末のディスプレイパネル１０の狭ベゼル設計を容易にするために、図１１に示すように、第１のゲート駆動回路０１＿Ｄ及び第２のゲート駆動回路０１＿Ｅを、それぞれ、アクティブ表示領域１００の左側と右側（又は上側と下側）に配置してもよい。
【０１２１】
第１のゲート駆動回路０１＿Ｄにおいて、各第１の駆動グループ（駆動グループ１１＿Ａ）内の各レベルのシフトレジスタＳＲの信号出力端が、奇数番目の行又は列の第１のピクセル回路内の一部のトランジスタのゲートに電気的に接続される。各第２の駆動グループ（駆動グループ１１＿Ｂ）内の各レベルのシフトレジスタの信号出力端が、奇数番目の行又は列の第２のピクセル回路内の一部のトランジスタのゲートに電気的に接続される。この場合、第１のゲート駆動回路０１＿Ａは、奇数番目の行（又は列）のサブピクセル２０を制御するように構成される。
【０１２２】
加えて、第２のゲート駆動回路０１＿Ｅにおいて、各第１の駆動グループ（駆動グループ１１＿Ａ）の各レベルのシフトレジスタの信号出力端が、偶数番目の行又は列の第１のピクセル回路内の一部のトランジスタのゲートに電気的に接続される。各第２の駆動グループ（駆動グループ１１＿Ｂ）内の各レベルのシフトレジスタの信号出力端が、偶数番目の行又は列の第２のピクセル回路内の一部のトランジスタのゲートに電気的に接続される。この場合、第２のゲート駆動回路０１＿Ｂは、偶数番目の行（又は列）のサブピクセル２０を制御するように構成される。
【０１２３】
第１のゲート駆動回路０１＿Ｄ及び第２のゲート駆動回路０１＿Ｅは、２つの独立した回路であり、いずれのサブ回路における駆動グループ１１及び接続コントローラ１２の設定方法も、上述したものと同じである。詳細をここで再び説明することはしない。
【０１２４】
これに基づき、第１の接続コントローラ（接続コントローラ１２＿Ｂ）又は第２の接続コントローラ（接続コントローラ１２＿Ｃ）のいずれの接続コントローラ１２も、図２０に示す第１のスイッチ１２０１及び第２のスイッチ１２０２を含む。
【０１２５】
以下、第１の接続コントローラ（接続コントローラ１２＿Ｂ）内の第１のスイッチ１２０１及び第２のスイッチ１２０２を接続するための構造を説明する。
【０１２６】
第１のスイッチ１２０１は、ＤＤＩＣの第２の信号端（２）と、第１の駆動グループ（駆動グループ１１＿Ａ）の出力端と、第２の駆動グループ（駆動グループ１１＿Ｂ）の入力端とに電気的に接続される。
【０１２７】
第１のスイッチ１２０１は、ＤＤＩＣの第２の信号端（２）によって出力されるカスケードゲーティング信号Ｓｅｌ１を受信するように構成され、カスケードゲーティング信号Ｓｅｌ１の制御下でイネーブル又はディセーブルされ、該イネーブルされた状態で、受信した、第１の駆動グループ（駆動グループ１１＿Ａ）の出力端によって出力されるアクティブ信号を、第２の駆動グループ（駆動グループ１１＿Ｂ）の入力端に伝える。
【０１２８】
第２のスイッチ１２０２は、ＤＤＩＣの第３の信号端（３）と、ＤＤＩＣの第４の信号端（４）と、第２の駆動グループ（駆動グループ１１＿Ｂ）の入力端とに電気的に接続される。
【０１２９】
第２のスイッチ１２０２は、ＤＤＩＣの第３の信号端（３）によって出力される分割画面ゲーティング信号Ｓｅｌ２を受信するように構成され、分割画面ゲーティング信号Ｓｅｌ２の制御下でイネーブル又はディセーブルされ、該イネーブルされた状態で、受信した、ＤＤＩＣの第４の信号端（４）によって出力された分割画面表示信号ＳＩＶ＿ｄを、第２の駆動グループ（駆動グループ１１＿Ｂ）の入力端に伝える。
【０１３０】
これに基づき、第１のスイッチ１２０１は、図９Ａ及び図９Ｂに示す第１のトランジスタＴ１を含む。第２のスイッチ１２０２は、図９Ａ及び図９Ｂに示す第２のトランジスタＴ２を含む。以下、第１の接続コントローラ（接続コントローラ１２＿Ｂ）内の第１のトランジスタＴ１及び第２のトランジスタＴ２を接続するための構造を説明する。
【０１３１】
第１のトランジスタＴ１のゲートが、ＤＤＩＣの第２の信号端（２）に接続される。第１のトランジスタＴ１の第１の電極が、例えば駆動グループ１１＿Ａ内の最後のレベルのシフトレジスタＳＲの信号出力端Ｏｐｕｔといった、第１の駆動グループの出力端に接続される。第１のトランジスタＴ１の第２の電極が、例えば駆動グループ１１＿Ｂ内の最初のレベルのシフトレジスタＳＲの信号入力端Ｉｐｕｔといった、第２の駆動グループの入力端に接続される。
【０１３２】
第２のトランジスタＴ２のゲートが、ＤＤＩＣの第３の信号端（３）に接続される。第２のトランジスタＴ２の第１の電極が、ＤＤＩＣの第４の信号端（４）に接続される。第２のトランジスタＴ２の第２の電極が、例えば駆動グループ１１＿Ｂ内の最初のレベルのシフトレジスタＳＲの信号入力端といった、第２の駆動グループの入力端に接続される。
【０１３３】
第１の接続コントローラ（接続コントローラ１２＿Ｂ）が第１のトランジスタＴ１及び第２のトランジスタＴ２を含む場合、第１の接続コントローラの第１端は、第１のトランジスタＴ１の第１の電極である。第１の接続コントローラの第２端は、第１のトランジスタＴ１のゲートである。第１の接続コントローラの第３端は、第２のトランジスタＴ２のゲートである。第１の接続コントローラの第４端は、第２のトランジスタＴ２の第１の電極である。第１の接続コントローラの第５端は、第２のトランジスタＴ２の第２の電極である。
【０１３４】
さらに、第２の接続コントローラ（接続コントローラ１２＿Ｃ）も、第１のトランジスタＴ１及び第２のトランジスタＴ２を含む。従って、第２の接続コントローラの５つの信号端は、上述したものと同じである。詳細をここで再び説明することはしない。
【０１３５】
なお、第１のトランジスタＴ１及び第２のトランジスタＴ２は、薄膜トランジスタ（thin  film  transistor、ＴＦＴ）又は金属酸化膜半導体（metal-oxide-semiconductor、ＭＯＳ）電界効果トランジスタとし得る。また、第１のトランジスタＴ１及び第２のトランジスタＴ２は、Ｎ型トランジスタであってもよいし、あるいはＰ型トランジスタであってもよい。第１のトランジスタＴ１及び第２のトランジスタＴ２の第１の電極はソースであり、第１のトランジスタＴ１及び第２のトランジスタＴ２の第２の電極はドレインであるとし得る。あるいは、第１のトランジスタＴ１及び第２のトランジスタＴ２の第１の電極がドレインであり、第１のトランジスタＴ１及び第２のトランジスタＴ２の第２の電極がソースであるとし得る。この出願の実施形態は、それに対して限定を設けるものではない。説明を容易にするために、以下の実施形態では、第１のトランジスタＴ１及び第２のトランジスタＴ２がＮ型トランジスタである例を用いる。以下、第１の駆動グループ及び第２の駆動グループ内のシフトレジスタＳＲに第１のトランジスタＴ１及び第２のトランジスタＴ２を接続するやり方を説明する。
【０１３６】
例えば、図９Ａ及び図９Ｂに示すように、いずれの駆動グループ１１でも、駆動グループ１１内の最初のレベルのシフトレジスタ以外の複数のシフトレジスタにおいて、上位レベルのシフトレジスタの信号出力端Ｏｐｕｔが、下位レベルのシフトレジスタの信号入力端Ｉｐｕｔに接続される。
【０１３７】
この場合、図９Ａ及び図９Ｂに示すように、接続コントローラ１２において、第１のトランジスタＴ１の第１の電極は、例えば駆動グループ１１＿Ａである第１の駆動グループ内の最後のレベルのシフトレジスタＳＲ６４０の信号出力端Ｏｐｕｔに接続される。第１のトランジスタＴ１の第２の電極は、例えば駆動グループ１１＿Ｂである第２の駆動グループ内の最初のレベルのシフトレジスタＳＲ６４１の信号入力端Ｉｐｕｔに接続される。
【０１３８】
第２のトランジスタＴ２の第２の電極は、例えば駆動グループ１１＿Ｂである第２の駆動グループ内の最初のレベルのシフトレジスタＳＲ６４１の信号入力端Ｉｐｕｔに接続される。
【０１３９】
なお、駆動グループ１１−Ａ内の最初のレベルのシフトレジスタは、図１に示したように、スタート信号ＳＴＶを受信するように構成された、ゲート駆動回路０１全体の中の第１レベルのシフトレジスタＳＲ１である。駆動グループ１１＿Ｂ内の最初のレベルのシフトレジスタはシフトレジスタＳＲ６４１である。駆動グループ１１＿Ｃ内の最初のレベルのシフトレジスタはシフトレジスタＳＲ１２８１である。
【０１４０】
あるいは、例えば、図１０に示すように、駆動グループ１１内の互いに隣接しない２つのシフトレジスタＳＲが各駆動グループ１１内でカスケード接続される場合、奇数番目の行（又は列）内の複数のシフトレジスタＳＲが制御下でカスケード接続され、偶数番目の行（又は列）の複数のシフトレジスタＳＲが制御下でカスケード接続される。
【０１４１】
駆動グループ１１＿Ａを例として用いるに、シフトレジスタＳＲ１の信号出力端Ｏｐｕｔが、シフトレジスタＳＲ３の信号入力端Ｉｐｕｔに接続される。シフトレジスタＳＲ３の信号出力端Ｏｐｕｔが、シフトレジスタＳＲ５の信号入力端Ｉｐｕｔに接続される。
【０１４２】
また、シフトレジスタＳＲ２の信号出力端Ｏｐｕｔが、シフトレジスタＳＲ４の信号入力端Ｉｐｕｔに接続される。シフトレジスタＳＲ４の信号出力端Ｏｐｕｔが、シフトレジスタＳＲ６の信号入力端Ｉｐｕｔに接続される。
【０１４３】
この場合、それぞれ図１０に示す接続コントローラ１２＿Ｂ１及び接続コントローラ１２Ｂ＿２である２つの接続コントローラ１２が、駆動グループ１１＿Ａと駆動グループ１１＿Ｂとの間に配置され得る。
【０１４４】
この場合、図１０に示すように、接続コントローラ１２＿Ｂ１において、第１のトランジスタＴ１の第１の電極は、例えば駆動グループ１１＿Ａである第１の駆動グループ内にあって奇数番目の行（又は列）のサブピクセル２０を制御するように構成された最後のレベルのシフトレジスタＳＲ６３９の信号出力端Ｏｐｕｔに接続される。第１のトランジスタＴ１の第２の電極は、例えば駆動グループ１１＿Ｂである第２の駆動グループ内にあって奇数番目の行（又は列）のサブピクセル２０を制御するように構成された最初のレベルのＳＲ６４１の信号入力端Ｉｐｕｔに接続される。
【０１４５】
第２のトランジスタＴ２の第２の電極は、例えば駆動グループ１１＿Ｂである第２の駆動グループ内にあって奇数番目の行（又は列）のサブピクセル２０を制御するように構成された最初のレベルのシフトレジスタＳＲ６４１の信号入力端Ｉｐｕｔに接続される。
【０１４６】
さらに、接続コントローラ１２＿Ｂ２において、第１のトランジスタＴ１の第１の電極は、例えば駆動グループ１１＿Ａである第１の駆動グループ内にあって偶数番目の行（又は列）のサブピクセル２０を制御するように構成された最後のレベルのシフトレジスタＳＲ６４０の信号出力端Ｏｐｕｔに接続される。第１のトランジスタＴ１の第２の電極は、例えば駆動グループ１１＿Ｂである第２の駆動グループ内にあって偶数番目の行（又は列）のサブピクセル２０を制御するように構成された最初のレベルのシフトレジスタＳＲ６４２の信号入力端Ｉｐｕｔに接続される。
【０１４７】
第２のトランジスタＴ２の第２の電極は、例えば駆動グループ１１＿Ｂである第２の駆動グループ内にあって偶数番目の行（又は列）のサブピクセル２０を制御するように構成された最初のレベルのシフトレジスタＳＲ６４２の信号入力端Ｉｐｕｔに接続される。
【０１４８】
また、駆動グループ１１＿Ｂと駆動グループ１１＿Ｃとの間に２つの接続コントローラ１２＿Ｃを配置するやり方は、上述のやり方と同じである。詳細をここで再び説明することはしない。
【０１４９】
なお、以上は、単に、同一の駆動グループ１１内の複数のシフトレジスタをカスケード接続するやり方を例示するものである。しかし、この開示のカスケード接続方法は、上述の２つの例に限定されるものではない。例えば、ｉ番目のレベルのシフトレジスタＳＲｍの信号出力端Ｏｐｕｔが、（ｉ＋ｊ）番目のレベルのシフトレジスタＳＲ（ｉ＋ｊ）の信号入力端Ｉｐｕｔに接続されてもよく、ここで、ｉ≧１、ｊ≧１であり、且つｉ及びｊは正の整数である。
【０１５０】
この場合、アクティブ表示領域１００内の複数のディスプレイ部分領域が一緒になって同一の画像を表示することを確保するために、２つの隣接する駆動グループ１１間の接続コントローラ１２の数が、必要なように設定され得る。
【０１５１】
この出願の実施形態にて提供されるゲート駆動回路０１は、液晶ディスプレイパネルに適用されてもよい。液晶ディスプレイパネルは自発光することができない。従って、液晶ディスプレイパネルに光源を提供するように構成されたバックライトモジュールを、液晶ディスプレイパネルの背面（発光面とは反対側にある表面）に配置する必要がある。また、バックライトモジュールは、直接型のバックライトモジュールである。
【０１５２】
この場合において、液晶ディスプレイパネルのアクティブ表示領域１００が、ディスプレイ部分領域Ａ、ディスプレイ部分領域Ｂ、及びディスプレイ部分領域Ｃを含む場合、バックライトモジュールも、その発光又はディセーブルを独立に制御することができる３つのバックライトゾーンに分割され得る。３つのバックライトゾーンは、それぞれ、ディスプレイ部分領域Ａ、ディスプレイ部分領域Ｂ、及びディスプレイ部分領域Ｃに対応し得る。斯くして、接続コントローラ１２を用いることにより、各ディスプレイ部分領域での独立した表示を実現することができ、表示を行わないディスプレイ部分領域に対応するバックライトゾーンは光を発しない。
【０１５３】
それに代えて、ゲート駆動回路０１は、ＯＬＥＤディスプレイパネルに適用されてもよい。この場合、ＯＬＥＤディスプレイパネルのアクティブ表示領域１００内のディスプレイ部分領域Ａ、ディスプレイ部分領域Ｂ、及びディスプレイ部分領域Ｃでの独立した表示も、接続コントローラ１２を用いることによって実現され得る。
【０１５４】
また、ＯＬＥＤディスプレイパネル内のピクセル回路２０１を担持する下地基板は可撓性樹脂材料で作製されることができ、ＯＬＥＤディスプレイパネルのパッケージ基板はテープキャリアパッケージを使用することができる。この場合、ＯＬＥＤディスプレイパネルはフレキシブルディスプレイ基板である。ユーザは、必要に応じてＯＬＥＤディスプレイパネルを折り畳むことができ、折り畳んだ後に、独立して表示を行うように一部のディスプレイ部分領域を選択することができる。
【０１５５】
以上の説明から分かることには、図４に示した段階（３）にて、ピクセル回路２０１を有するサブピクセル２０が表示を行うよう、駆動トランジスタＭ４によって生成される駆動電流Ｉｓｄが発光制御信号ＥＭの制御下でＯＬＥＤに伝送されて、発光するようにＯＬＥＤを駆動する。従って、発光制御信号ＥＭは、主に、表示を行うようにサブピクセル２０を制御するために使用される。従って、ＯＬＥＤディスプレイパネル内の各ディスプレイ部分領域が独立して表示を行うことを可能にするために、各行のサブピクセル２０に発光制御信号ＥＭを提供するゲート駆動回路０１の構造が、接続コントローラ１２が配置されるものである図９Ａと図９Ｂ又は図１０に示す構造である必要がある。
【０１５６】
以下、ＯＬＥＤディスプレイパネルがフレキシブルディスプレイパネルであり、且つ図９Ａ及び図９Ｂに示したゲート駆動回路０１が各行のサブピクセル２０に発光制御信号ＥＭを提供するように構成される例を用いて、例えば、ＯＬＥＤディスプレイパネルのフルスクリーン若しくは屈曲、又は各ディスプレイ部分領域における独立表示といった、様々な表示シナリオを詳細に説明する。
【０１５７】
図１１に示すように、ＯＬＥＤディスプレイパネルのアクティブ表示領域１００が、上から下に順に、ディスプレイ部分領域Ａ、ディスプレイ部分領域Ｂ、及びディスプレイ部分領域Ｃに分割される。この場合、発光制御信号ＥＭを提供するように構成されたゲート駆動回路０１は、アクティブ表示領域１００の左側及び／又は右側の非表示領域１０１に配置される。
【０１５８】
例１
この例では、ＯＬＥＤディスプレイパネルのアクティブ表示領域１００内のディスプレイ部分領域Ａ、ディスプレイ部分領域Ｂ、及びディスプレイ部分領域Ｃが全て表示を行い、ディスプレイ部分領域Ａ、ディスプレイ部分領域Ｂ、及びディスプレイ部分領域Ｃが一緒になって同一の画像を表示する。
【０１５９】
これに基づき、表１は、図９Ａ及び図９Ｂに示したゲート駆動回路０１における接続コントローラ１２内のトランジスタのオン／オフ制御状態と、一部の信号端によって入力される信号とを示している。
【表１】
2022501653.tif 000003
【０１６０】
なお、この出願の実施形態において、Ｈは、ハイ電圧、すなわち、信号端により出力されるアクティブなスタート信号を表し、Ｌは、ロー電圧、すなわち、信号端により出力される非アクティブな非スタート信号を表す。
【０１６１】
ディスプレイ部分領域Ａ、ディスプレイ部分領域Ｂ、及びディスプレイ部分領域Ｃが一緒になって同一の画像を表示することができるようにするには、表１を参照されたい。以下の実施形態では、ディスプレイ部分領域Ａを制御する駆動回路が駆動グループ１１＿Ａであり、ディスプレイ部分領域Ｂを制御する駆動回路が駆動グループ１１＿Ｂであり、そして、ディスプレイ部分領域Ｃを制御する駆動回路が駆動グループ１１＿Ｃである。
【０１６２】
ＤＤＩＣの第２の信号端（２）が、接続コントローラ１２＿Ｂ内の第１のトランジスタＴ１のゲートに、ハイ電圧のカスケードゲーティング信号Ｓｅｌを入力して、接続コントローラ１２＿Ｂ内の第１のトランジスタＴ１をターンオン（ＯＮ）させる。この場合、駆動グループ１１＿Ａ内の例えばＲＳ６４０である最後のレベルのシフトレジスタＳＲの信号出力端Ｏｐｕｔが、駆動グループ１１＿Ｂ内の例えばＲＳ６４１である最初のレベルのシフトレジスタＳＲの信号入力端Ｉｐｕｔに接続される。
【０１６３】
また、ＤＤＩＣの第３の信号端（３）が、接続コントローラ１２＿Ｂ内の第２のトランジスタＴ２のゲートに、ロー電圧の分割画面ゲーティング信号Ｓｅｌ２を入力して、接続コントローラ１２＿Ｂ内の第２のトランジスタＴ２をターンオフ（ＯＦＦ）させる。さらに、ＤＤＩＣの第４の信号端（４）が、第２のトランジスタＴ２の第１の電極に、ロー電圧の分割画面表示信号ＳＴＶ＿ｄ＿Ｂを入力し、該ロー電圧の分割画面表示信号ＳＴＶ＿ｄ＿Ｂが、ＤＤＩＣの第４の信号端（４）がフローティング（floating）状態に留まることを防止するための非アクティブな非スタート信号として使用される。この場合、ディスプレイ部分領域Ｂは独立に表示を行うことができない。
【０１６４】
また、ＤＤＩＣの第２の信号端（２）が、接続コントローラ１２＿Ｃ内の第１のトランジスタＴ１のゲートに、ハイ電圧のカスケードゲーティング信号Ｓｅｌ１を入力して、接続コントローラ１２＿Ｃ内の第１のトランジスタＴ１をターンオン（ＯＮ）させる。
【０１６５】
この場合、駆動グループ１１＿Ｂ内の例えばＲＳ１２８０である最後のレベルのシフトレジスタＳＲの信号出力端Ｏｐｕｔが、駆動グループ１１＿Ｃ内の例えばＲＳ１２８１である最初のレベルのシフトレジスタＳＲの信号入力端Ｉｐｕｔに接続される。また、ＤＤＩＣの第３の信号端（３）が、接続コントローラ１２＿Ｃ内の第２のトランジスタＴ２のゲートに、ロー電圧の分割画面ゲーティング信号Ｓｅｌ２を入力して、接続コントローラ１２＿Ｃ内の第２のトランジスタＴ２をターンオフ（ＯＦＦ）させる。ＤＤＩＣの第４の信号端（４）が、第２のトランジスタＴ２の第１の電極に、ロー電圧の分割画面表示信号ＳＴＶ＿ｄ＿Ｃを入力し、該ロー電圧の分割画面表示信号ＳＴＶ＿ｄ＿Ｃが、ＤＤＩＣの第４の信号端（４）がフローティング（floating）状態に留まることを防止するための非アクティブな非スタート信号として使用される。この場合、ディスプレイ部分領域Ｃは独立に表示を行うことができない。
【０１６６】
この場合、駆動グループ１１＿Ａが駆動グループ１１＿Ｂにカスケード接続されるとともに、駆動グループ１１＿Ｂが駆動グループ１１＿Ｃにカスケード接続される。駆動グループ１１＿Ａと、駆動グループ１１＿Ｂと、駆動グループ１１＿Ｃとで経路を形成する。
【０１６７】
この場合、スタート信号ＳＴＶがハイ電圧であるとき、このハイ電圧が、駆動グループ１１＿Ａ内の第１レベルのシフトレジスタＳＲ１の信号入力端Ｉｐｕｔにスタート信号として提供される。これに基づき、画像フレーム内で、駆動グループ１１＿Ａ内の全てのレベルのシフトレジスタＳＲの信号出力端Ｏｐｕｔが、ディスプレイ部分領域Ａ内のサブピクセル２０に行ごとに発光制御信号ＥＭを入力する。次に、駆動グループ１１＿Ａ内の例えばＳＲ６４０である最後のレベルのシフトレジスタＳＲの信号出力端Ｏｐｕｔによって出力されるアクティブ信号が、スタート信号として使用されて、駆動グループ１１＿Ｂ内の例えばＳＲ６４１である最初のレベルのシフトレジスタＳＲの信号入力端Ｉｐｕｔに伝送される。次に、駆動グループ１１＿Ｂ内の全てのレベルのシフトレジスタＳＲの信号出力端Ｏｐｕｔが、ディスプレイ部分領域Ｂ内のサブピクセル２０に行ごとに発光制御信号ＥＭを入力する。次に、駆動グループ１１＿Ｂ内の例えばＳＲ１２８０である最後のレベルのシフトレジスタＳＲの信号出力端Ｏｐｕｔによって出力されるアクティブ信号が、スタート信号として使用されて、駆動グループ１１＿Ｃ内の例えばＳＲ１２８１である最初のレベルのシフトレジスタＳＲの信号入力端Ｉｐｕｔに伝送される。最後、駆動グループ１１＿Ｃ内の全てのレベルのシフトレジスタＳＲの信号出力端Ｏｐｕｔが、ディスプレイ部分領域Ｃ内のサブピクセル２０に行ごとに発光制御信号ＥＭを入力する。画像フレーム内で、図１２に示すように、ディスプレイ部分領域Ａ、ディスプレイ部分領域Ｂ、及びディスプレイ部分領域Ｃ内のサブピクセル２０が順次に行ごとに走査されることで、該画像フレームを走査することが完了した後に、ディスプレイ部分領域Ａ、ディスプレイ部分領域Ｂ、及びディスプレイ部分領域Ｃが一緒になって同一の画像を表示する。
【０１６８】
例２
この例では、ＯＬＥＤディスプレイパネルのアクティブ表示領域１００内のディスプレイ部分領域Ａ、ディスプレイ部分領域Ｂ、及びディスプレイ部分領域Ｃが全て、表示を行う。ディスプレイ部分領域Ａは独立して第１の画像を表示し、ディスプレイ部分領域Ｂ及びディスプレイ部分領域Ｃは一緒になって第２の画像を表示する。
【０１６９】
これに基づき、表２は、図９Ａ及び図９Ｂのゲート駆動回路０１における接続コントローラ１２内のトランジスタのオン／オフ制御状態と、一部の信号端によって入力される信号とを示している。
【表２】
2022501653.tif 000004
【０１７０】
ディスプレイ部分領域Ａが独立して表示を行うことを可能にするには、表２を参照されたい。ＤＤＩＣの第２の信号端（２）が、図９Ａ及び図９Ｂに示した接続コントローラ１２＿Ｂ内の第１のトランジスタＴ１のゲートに、ロー電圧のカスケードゲーティング信号Ｓｅｌ１を入力して、接続コントローラ１２＿Ｂ内の第１のトランジスタＴ１をターンオフ（ＯＦＦ）させる。この場合、駆動グループ１１＿Ａと駆動グループ１１＿Ｂとの間の経路が切断される。
【０１７１】
この場合、スタート信号ＳＴＶがハイ電圧であるとき、該ハイ電圧が、駆動グループ１１＿Ａ内の第１レベルのシフトレジスタＳＲ１の信号入力端Ｉｐｕｔにスタート信号として提供される。画像フレーム内で、駆動グループ１１＿Ａ内の全てのレベルのシフトレジスタＳＲの信号出力端Ｏｐｕｔが、ディスプレイ部分領域Ａ内のサブピクセル２０に行ごとに発光制御信号ＥＭを入力する。接続コントローラ１２＿Ｂ内の第１のトランジスタＴ１がターンオフ（ＯＦＦ）されているため、駆動グループ１１＿Ａ内の例えばＳＲ６４０である最後のレベルのシフトレジスタＳＲの信号出力端Ｏｐｕｔによって出力されるアクティブ信号は、駆動グループ１１＿Ｂ内の例えばＳＲ６４１である最初のレベルのシフトレジスタＳＲの信号入力端Ｉｐｕｔに伝えられることができない。斯くして、図１３ａに示すように、ディスプレイ部分領域Ａは、例えばプレイヤを表示するなど、独立に第１の画像を表示し得る。さらに、ディスプレイ部分領域Ｂ及びディスプレイ部分領域Ｃが一緒になって第２の画像を表示することを可能にするため、ＤＤＩＣの第２の信号端（２）が、接続コントローラ１２＿Ｃ内の第１のトランジスタＴ１のゲートに、ハイ電圧のカスケードゲーティング信号Ｓｅｌ１を入力して、接続コントローラ１２＿Ｃ内の第１のトランジスタＴ１をターンオン（ＯＮ）させる。ＤＤＩＣの第３の信号端（３）が、接続コントローラ１２＿Ｃ内の第２のトランジスタＴ２のゲートに、ロー電圧の分割画面ゲーティング信号Ｓｅｌ２を入力して、接続コントローラ１２＿Ｃ内の第２のトランジスタＴ２をターンオフ（ＯＦＦ）させる。ＤＤＩＣの第４の信号端（４）が、ロー電圧の分割画面表示信号ＳＴＶ＿ｄ＿Ｃを入力し、該ロー電圧の分割画面表示信号ＳＴＶ＿ｄ＿Ｃが、ＤＤＩＣの第４の信号端（４）がフローティング（floating）状態に留まることを防止するための非アクティブな非スタート信号として使用される。
【０１７２】
この場合、駆動グループ１１＿Ｂが駆動グループ１１＿Ｃにカスケード接続される。駆動グループ１１＿Ｂと駆動グループ１１＿Ｃとの間に経路が形成される。
【０１７３】
この場合、ＤＤＩＣの第３の信号端（３）が、接続コントローラ１２＿Ｂ内の第２のトランジスタＴ２のゲートに、ハイ電圧の分割画面ゲーティング信号Ｓｅｌ２を入力して、接続コントローラ１２＿Ｂ内の第２のトランジスタＴ２をターンオン（ＯＮ）させる。ＤＤＩＣの第４の信号端（４）が、ハイ電圧の分割画面表示信号ＳＴＶ＿ｄ＿Ｂを入力し、該ハイ電圧の分割画面表示信号ＳＴＶ＿ｄ＿Ｂが、駆動グループ１１＿Ｂ内の最初のレベルのシフトレジスタＳＲ６４１の信号入力端Ｉｐｕｔに、スタート信号として提供される。これに基づき、画像フレーム内で、駆動グループ１１＿Ｂ内の全てのレベルのシフトレジスタＳＲの信号出力端Ｏｐｕｔが、ディスプレイ部分領域Ｂ内のサブピクセル２０に行ごとに発光制御信号ＥＭを入力する。次に、駆動グループ１１＿Ｂ内の例えばＳＲ１２８０である最後のレベルのシフトレジスタＳＲの信号出力端Ｏｐｕｔによって出力されるアクティブ信号が、スタート信号として使用され、駆動グループ１１＿Ｃ内の例えばＳＲ１２８１である最初のレベルのシフトレジスタＳＲの信号入力端Ｉｐｕｔに伝送される。そして、駆動グループ１１＿Ｃ内の全てのレベルのシフトレジスタＳＲの信号出力端Ｏｐｕｔが、ディスプレイ部分領域Ｃ内のサブピクセル２０に行ごとに発光制御信号ＥＭを入力する。画像フレーム内で、図１３ａに示すように、ディスプレイ部分領域Ｂ及びディスプレイ部分領域Ｃ内のサブピクセル２０が順次に行ごとに走査されることで、該画像フレームが終了した後に、ディスプレイ部分領域Ｂ及びディスプレイ部分領域Ｃが一緒になって第２の画像を表示する。
【０１７４】
これに基づき、図１３（ｂ）に示すように同一のモバイル端末を使用している、例えばユーザＡ及びユーザＢといった、少なくとも２人のユーザが存在する場合に、モバイル端末を屈曲させて、独立して表示可能なディスプレイ部分領域ＡがユーザＡに面し、ディスプレイ部分領域Ｂ及びディスプレイ部分領域ＣがユーザＢに面するようにすることができる。また、ディスプレイ部分領域Ａがディスプレイ部分領域Ｂ及びＣと背中合わせの向きまでひっくり返される場合には、モバイル端末は、重力センシングに従ってディスプレイ部分領域Ａ内の画像を反転させて、ユーザＡが上下逆の画像を見ることがないようにし得る。
【０１７５】
他の一実施形態において、ディスプレイ部分領域Ｃが第１の画像を表示して、ディスプレイ部分領域Ａ及びディスプレイ部分領域Ｂが一緒になって第２の画像を表示してもよい。表３は、接続コントローラ１２内のトランジスタのオン／オフ制御状態と、一部の信号端によって入力される信号とを示している。
【表３】
2022501653.tif 000005
【０１７６】
ＤＤＩＣの第２の信号端（２）が、接続コントローラ１２＿Ｂ内の第１のトランジスタＴ１のゲートに、ハイ電圧のカスケードゲーティング信号Ｓｅｌ１を入力して、接続コントローラ１２＿Ｂ内の第１のトランジスタＴ１をターンオン（ＯＮ）させる。駆動グループ１１＿Ａと駆動グループ１１＿Ｂとの間の経路が接続される。ＤＤＩＣの第３の信号端（３）が、接続コントローラ１２＿Ｂ内の第２のトランジスタＴ２のゲートに、ロー電圧の分割画面ゲーティング信号Ｓｅｌ２を入力して、接続コントローラ１２＿Ｂ内の第２のトランジスタＴ２をターンオフ（ＯＦＦ）させる。ＤＤＩＣの第４の信号端（４）が、ロー電圧のＳＴＶ＿ｄ＿Ｂを入力し、該ロー電圧のＳＴＶ＿ｄ＿Ｂが、非アクティブな非スタート信号として使用される。
【０１７７】
スタート信号ＳＴＶがハイ電圧であるとき、該ハイ電圧が、駆動グループ１１＿Ａ内の第１レベルのシフトレジスタＳＲ１の信号入力端Ｉｐｕｔに、スタート信号として提供される。これに基づき、画像フレーム内で、駆動グループ１１＿Ａ内の全てのレベルのシフトレジスタＳＲの信号出力端Ｏｐｕｔが、ディスプレイ部分領域Ａ内のサブピクセル２０に行ごとに発光制御信号ＥＭを入力する。次に、駆動グループ１１＿Ａ内の最後のレベルのシフトレジスタＳＲの信号出力端Ｏｐｕｔによって出力されるアクティブ信号が、スタート信号として使用され、駆動グループ１１＿Ｂ内の最初のレベルのシフトレジスタＳＲの信号入力端Ｉｐｕｔに伝送される。次に、駆動グループ１１＿Ｂ内の全てのレベルのシフトレジスタＳＲの信号出力端Ｏｐｕｔが、ディスプレイ部分領域Ｂ内のサブピクセル２０に行ごとに発光制御信号ＥＭを入力する。画像フレーム内で、ディスプレイ部分領域Ａ及びディスプレイ部分領域Ｂ内のサブピクセル２０が順次に行ごとに走査されることで、ディスプレイ部分領域Ａ及びディスプレイ部分領域Ｂが一緒になって第２の画像を表示する。
【０１７８】
また、ＤＤＩＣの第２の信号端（２）が、接続コントローラ１２＿Ｃ内の第１のトランジスタＴ１のゲートに、ロー電圧のカスケードゲーティング信号Ｓｅｌ１を入力して、接続コントローラ１２＿Ｃ内の第１のトランジスタＴ１をターンオフ（ＯＦＦ）させる。駆動グループ１１＿Ｂと駆動グループ１１＿Ｃとの間の経路が切断される。駆動グループ１１＿Ｂ内の例えばＳＲ１２８０である最後のレベルのシフトレジスタＳＲの信号出力端Ｏｐｕｔによって出力されるアクティブ信号は、駆動グループ１１＿Ｃ内の例えばＳＲ１２８１である最初のレベルのシフトレジスタＳＲの信号入力端Ｉｐｕｔに伝えられることができない。
【０１７９】
ＤＤＩＣの第３の信号端（３）が、接続コントローラ１２＿Ｃ内の第２のトランジスタＴ２のゲートに、ハイ電圧の分割画面ゲーティング信号Ｓｅｌ２を入力して、接続コントローラ１２＿Ｂ内の第２のトランジスタＴ２をターンオン（ＯＮ）させる。ＤＤＩＣの第４の信号端（４）が、ハイ電圧の分割画面表示信号ＳＴＶ＿ｄ＿Ｃを入力する。類似性によって分かることには、ディスプレイ部分領域Ｃは第１の画像を表示する。
【０１８０】
他の一実施形態において、ディスプレイ部分領域Ａ、ディスプレイ部分領域Ｂ、及びディスプレイ部分領域Ｃは、それぞれ、第１の画像、第２の画像、及び第３の画像を表示する。表４は、接続コントローラ１２内のトランジスタのオン／オフ制御状態と、一部の信号端によって入力される信号とを示している。
【表４】
2022501653.tif 000006
【０１８１】
ＤＤＩＣの第２の信号端（２）が、接続コントローラ１２＿Ｂ内の第１のトランジスタＴ１のゲートに、ロー電圧のカスケードゲーティング信号Ｓｅｌ１を入力して、接続コントローラ１２＿Ｂ内の第１のトランジスタＴ１をターンオフ（ＯＦＦ）させる。駆動グループ１１＿Ａと駆動グループ１１＿Ｂとの間の経路が切断される。駆動グループ１１＿Ｂ内の例えばＳＲ６４０である最後のレベルのシフトレジスタＳＲの信号出力端Ｏｐｕｔによって出力されるアクティブ信号は、駆動グループ１１＿Ｂ内の例えばＳＲ６４１である最初のレベルのシフトレジスタＳＲの信号入力端Ｉｐｕｔに伝えられることができない。スタート信号ＳＴＶがハイ電圧にあるとき、類似性によって分かることには、ディスプレイ部分領域Ａは第１の画像を表示する。
【０１８２】
ＤＤＩＣの第３の信号端（３）が、接続コントローラ１２＿Ｂ内の第２のトランジスタＴ２のゲートに、ハイ電圧の分割画面ゲーティング信号Ｓｅｌ２を入力して、接続コントローラ１２＿Ｂ内の第２のトランジスタＴ２をターンオン（ＯＮ）させる。ＤＤＩＣの第４の信号端（４）が、ハイ電圧の分割画面表示信号ＳＴＶ＿ｄ＿Ｂを入力する。類似性によって分かることには、ディスプレイ部分領域Ｂは第２の画像を表示する。
【０１８３】
また、ＤＤＩＣの第２の信号端（２）が、接続コントローラ１２＿Ｃ内の第１のトランジスタＴ１のゲートに、ロー電圧のカスケードゲーティング信号Ｓｅｌ１を入力して、接続コントローラ１２＿Ｃ内の第１のトランジスタＴ１をターンオフ（ＯＦＦ）させる。駆動グループ１１＿Ｂと駆動グループ１１＿Ｃとの間の経路が切断される。駆動グループ１１＿Ｂ内の例えばＳＲ１２８０である最後のレベルのシフトレジスタＳＲの信号出力端Ｏｐｕｔによって出力されるアクティブ信号は、駆動グループ１１＿Ｃ内の例えばＳＲ１２８１である最初のレベルのシフトレジスタＳＲの信号入力端Ｉｐｕｔに伝えられることができない。
【０１８４】
ＤＤＩＣの第３の信号端（３）が、接続コントローラ１２＿Ｃ内の第２のトランジスタＴ２のゲートに、ハイ電圧の分割画面ゲーティング信号Ｓｅｌ２を入力して、接続コントローラ１２＿Ｃ内の第２のトランジスタＴ２をターンオン（ＯＮ）させる。ＤＤＩＣの第４の信号端（４）が、ハイ電圧の分割画面表示信号ＳＴＶ＿ｄ＿Ｃを入力する。類似性によって分かることには、ディスプレイ部分領域Ｃは第３の画像を表示する。
【０１８５】
以上の説明は、アクティブ表示領域１００内のディスプレイ部分領域Ａ、ディスプレイ部分領域Ｂ、及びディスプレイ部分領域Ｃが全て表示を行う例を用いて与えられている。以下の説明は、ＯＬＥＤディスプレイパネルを折り畳まれたときに、ディスプレイ部分領域Ａ、ディスプレイ部分領域Ｂ、及びディスプレイ部分領域Ｃのうち少なくとも１つのディスプレイ部分領域が画像を表示しない例を用いて与えられる。アクティブ表示領域１００内の一部のディスプレイ部分領域のみが表示を行うので、電力節減が達成される。
【０１８６】
例えば、ＯＬＥＤディスプレイパネルは、横長モードで表示を行う。図１４に示すように、ＯＬＥＤディスプレイパネルのアクティブ表示領域１００が、左から右に順に、ディスプレイ部分領域Ａ、ディスプレイ部分領域Ｂ、及びディスプレイ部分領域Ｃに分割される。この場合、発光制御信号を提供するように構成されたゲート駆動回路０１は、アクティブ表示領域１００の下側及び／又は下側の非表示領域１０１に配置される。また、図１５は、ＯＬＥＤディスプレイパネルが折り畳まれる前の、ディスプレイ部分領域Ａ、ディスプレイ部分領域Ｂ、及びディスプレイ部分領域Ｃが全て表示を行っている概略図である。
【０１８７】
例３
この例では、ＯＬＥＤディスプレイパネルのアクティブ表示領域１００内のディスプレイ部分領域Ａ及びディスプレイ部分領域Ｂが一緒になって同一の画像を表示する。図１６ａに示すように、ディスプレイ部分領域Ｃは、ＯＬＥＤディスプレイパネルの背面側（すなわち、非表示側）に曲げられる。
【０１８８】
これに基づき、表５は、図９Ａ及び図９Ｂに示したゲート駆動回路０１における接続コントローラ１２内のトランジスタのオン／オフ制御状態と、一部の信号端によって入力される信号とを示している。
【表５】
2022501653.tif 000007
【０１８９】
ディスプレイ部分領域Ａ及びディスプレイ部分領域Ｂが一緒になって同一の画像を表示することができるようにするには、表５を参照されたい。ＤＤＩＣの第２の信号端（２）が、図９Ａ及び図９Ｂに示した接続コントローラ１２＿Ｂ内の第１のトランジスタＴ１のゲートに、ハイ電圧のカスケードゲーティング信号Ｓｅｌ１を入力して、接続コントローラ１２＿Ｂ内の第１のトランジスタＴ１をターンオン（ＯＮ）させる。駆動グループ１１＿Ａと駆動グループ１１＿Ｂとの間の経路が接続される。ＤＤＩＣの第３の信号端（３）が、接続コントローラ１２＿Ｂ内の第２のトランジスタＴ２のゲートに、ロー電圧の分割画面ゲーティング信号Ｓｅｌ２を入力して、接続コントローラ１２＿Ｂ内の第２のトランジスタＴ２をターンオフ（ＯＦＦ）させる。ＤＤＩＣの第４の信号端（４）が、ロー電圧の分割画面表示信号ＳＴＶ＿ｄ＿Ｂを入力し、該ロー電圧の分割画面表示信号ＳＴＶ＿ｄ＿Ｂが、非アクティブな非スタート信号として使用される。
【０１９０】
スタート信号ＳＴＶがハイ電圧であるとき、このハイ電圧が、駆動グループ１１＿Ａ内の第１レベルのシフトレジスタＳＲ１の信号入力端Ｉｐｕｔにスタート信号として提供される。これに基づき、画像フレーム内で、駆動グループ１１＿Ａ内の全てのレベルのシフトレジスタＳＲの信号出力端Ｏｐｕｔが、ディスプレイ部分領域Ａ内のサブピクセル２０に行ごとに発光制御信号ＥＭを入力する。次に、駆動グループ１１＿Ａ内の例えばＳＲ６４０である最後のレベルのシフトレジスタＳＲの信号出力端Ｏｐｕｔによって出力されるアクティブ信号が、スタート信号として使用されて、駆動グループ１１＿Ｂ内の例えばＳＲ６４１である最初のレベルのシフトレジスタＳＲの信号入力端Ｉｐｕｔに伝送される。次に、駆動グループ１１＿Ｂ内の全てのレベルのシフトレジスタＳＲの信号出力端Ｏｐｕｔが、ディスプレイ部分領域Ｂ内のサブピクセル２０に行ごとに発光制御信号ＥＭを入力する。画像フレーム内で、図１６（ｂ）に示すように、ディスプレイ部分領域Ａ及びディスプレイ部分領域Ｂ内のサブピクセル２０が左から右に順に列ごとに走査されることで、該画像フレームが終了した後にディスプレイ部分領域Ａ及びディスプレイ部分領域Ｂが一緒になって同一の画像を表示する。
【０１９１】
また、ディスプレイ部分領域Ｃに画像を表示させないために、一方で、ＤＤＩＣの第２の信号端（２）が、接続コントローラ１２＿Ｃ内の第１のトランジスタＴ１のゲートに、ロー電圧のカスケードゲーティング信号Ｓｅｌ１を入力して、接続コントローラ１２＿Ｃ内の第１のトランジスタＴ１をターンオフ（ＯＦＦ）させる。駆動グループ１１＿Ｂと駆動グループ１１＿Ｃとの間の経路が切断される。駆動グループ１１＿Ｂ内の例えばＳＲ１２８０である最後のレベルのシフトレジスタＳＲの信号出力端Ｏｐｕｔによって出力されるアクティブ信号は、駆動グループ１１＿Ｃ内の例えばＳＲ１２８１である最初のレベルのシフトレジスタＳＲの信号入力端Ｉｐｕｔに伝えられることができない。
【０１９２】
他方で、ＤＤＩＣの第３の信号端（３）が、接続コントローラ１２＿Ｃ内の第２のトランジスタＴ２のゲートに、ハイ電圧の分割画面ゲーティング信号Ｓｅｌ２を入力して、接続コントローラ１２＿Ｃ内の第２のトランジスタＴ２をターンオン（ＯＮ）させる。ＤＤＩＣの第４の信号端（４）が、ロー電圧の分割画面表示信号ＳＴＶ＿ｄ＿Ｃを入力し、該ロー電圧の分割画面表示信号ＳＴＶ＿ｄ＿Ｃが、非アクティブな非スタート信号として使用される。この場合、ディスプレイ部分領域Ｃは画像を表示しない。
【０１９３】
一部の他の実施形態において、ディスプレイ部分領域Ａは表示を行わず、ディスプレイ部分領域Ｂ及びディスプレイ部分領域Ｃは一緒になって同一の画像を表示する。表６は、接続コントローラ１２内のトランジスタのオン／オフ制御状態と、一部の信号端によって入力される信号とを示している。
【表６】
2022501653.tif 000008
【０１９４】
ＤＤＩＣの第２の信号端（２）が、接続コントローラ１２＿Ｂ内の第１のトランジスタＴ１のゲートに、ロー電圧のカスケードゲーティング信号Ｓｅｌ１を入力して、接続コントローラ１２＿Ｂ内の第１のトランジスタＴ１をターンオフ（ＯＦＦ）させる。駆動グループ１１＿Ａと駆動グループ１１＿Ｂとの間の経路が切断される。駆動グループ１１＿Ｂ内の例えばＳＲ６４０である最後のレベルのシフトレジスタＳＲの信号出力端Ｏｐｕｔによって出力されるアクティブ信号は、駆動グループ１１＿Ｂ内の例えばＳＲ６４１である最初のレベルのシフトレジスタＳＲの信号入力端Ｉｐｕｔに伝えられることができない。スタート信号ＳＴＶがロー電圧にあり、非アクティブの非スタート信号として使用される。この場合、ディスプレイ部分領域Ａは画像を表示しない。
【０１９５】
ＤＤＩＣの第３の信号端（３）が、接続コントローラ１２＿Ｂ内の第２のトランジスタＴ２のゲートに、ハイ電圧の分割画面ゲーティング信号Ｓｅｌ２を入力して、接続コントローラ１２＿Ｂ内の第２のトランジスタＴ２をターンオン（ＯＮ）させる。
【０１９６】
また、ディスプレイ部分領域Ｂ及びディスプレイ部分領域Ｃが一緒になって同一の画像を表示することを可能にするために、ＤＤＩＣの第２の信号端（２）が、接続コントローラ１２＿Ｃ内の第１のトランジスタＴ１のゲートに、ハイ電圧のカスケードゲーティング信号Ｓｅｌ１を入力して、接続コントローラ１２＿Ｃ内の第１のトランジスタＴ１をターンオン（ＯＮ）させる。ＤＤＩＣの第３の信号端（３）が、接続コントローラ１２＿Ｂ内の第２のトランジスタＴ２のゲートに、ロー電圧の分割画面ゲーティング信号Ｓｅｌ２を入力して、接続コントローラ１２＿Ｂ内の第２のトランジスタＴ２をターンオフ（ＯＦＦ）させる。
【０１９７】
ＤＤＩＣの第４の信号端（４）が、ロー電圧の分割画面表示信号ＳＴＶ＿ｄ＿Ｃを入力し、該ロー電圧の分割画面表示信号ＳＴＶ＿ｄ＿Ｃが、ＤＤＩＣの第４の信号端（４）がフローティング（floating）状態に留まることを防止するための非アクティブな非スタート信号として使用される。
【０１９８】
この場合、駆動グループ１１＿Ｂが駆動グループ１１＿Ｃにカスケード接続される。駆動グループ１１＿Ｂと駆動グループ１１＿Ｃとの間に経路が形成される。図１７に示すように、画像を表示しないディスプレイ部分領域Ａが、ディスプレイパネルの背面側に曲げられる。また、ＤＤＩＣの第４の信号端（４）が、ハイ電圧の分割画面表示信号ＳＴＶ＿ｄ＿Ｂを入力し、このハイ電圧が、駆動グループ１１＿Ｂ内の最初のレベルのシフトレジスタＳＲの信号入力端Ｉｐｕｔに、スタート信号として提供される。これに基づき、画像フレーム内で、駆動グループ１１＿Ｂ内の全てのレベルのシフトレジスタＳＲの信号出力端Ｏｐｕｔが、ディスプレイ部分領域Ｂ内のサブピクセル２０に列ごとに発光制御信号ＥＭを入力する。次に、駆動グループ１１＿Ｂ内の最後のレベルのシフトレジスタＳＲの信号出力端Ｏｐｕｔによって出力されるアクティブ信号が、スタート信号として使用され、駆動グループ１１＿Ｃ内の最初のレベルのシフトレジスタＳＲの信号入力端Ｉｐｕｔに伝送される。次に、駆動グループ１１＿Ｃ内の全てのレベルのシフトレジスタＳＲの信号出力端Ｏｐｕｔが、ディスプレイ部分領域Ｃ内のサブピクセル２０に列ごとに発光制御信号ＥＭを入力する。画像フレーム内で、ディスプレイ部分領域Ｂ及びディスプレイ部分領域Ｃ内のサブピクセル２０が、左から右に順に列ごとに走査されることで、該画像フレームが終了した後にディスプレイ部分領域Ｂ及びディスプレイ部分領域Ｃが一緒になって同一の画像を表示する。
【０１９９】
一部の他の実施形態において、ディスプレイ部分領域Ａ及びディスプレイ部分領域Ｃは、それぞれ、第１の画像及び第２の画像を表示し、ディスプレイ部分領域Ｂは表示を行わない。表７は、接続コントローラ１２内のトランジスタのオン／オフ制御状態と、一部の信号端によって入力される信号とを示している。接続コントローラ１２の制御プロセスは、上述したものと同じである。詳細をここで再び説明することはしない。
【表７】
2022501653.tif 000009
【０２００】
ＤＤＩＣの第２の信号端（２）が、接続コントローラ１２＿Ｂ内の第１のトランジスタＴ１のゲートに、ロー電圧のカスケードゲーティング信号Ｓｅｌ１を入力して、接続コントローラ１２＿Ｂ内の第１のトランジスタＴ１をターンオフ（ＯＦＦ）させる。駆動グループ１１＿Ａと駆動グループ１１＿Ｂとの間の経路が切断される。スタート信号ＳＴＶがハイ電圧にあるとき、類似性によって分かることには、ディスプレイ部分領域Ａは第１の画像を表示する。
【０２０１】
ＤＤＩＣの第３の信号端（３）が、接続コントローラ１２＿Ｂ内の第２のトランジスタＴ２のゲートに、ハイ電圧の分割画面ゲーティング信号Ｓｅｌ２を入力して、接続コントローラ１２＿Ｂ内の第２のトランジスタＴ２をターンオン（ＯＮ）させる。ＤＤＩＣの第４の信号端（４）が、ロー電圧の分割画面表示信号ＳＴＶ＿ｄ＿Ｂを入力し、該ロー電圧の分割画面表示信号ＳＴＶ＿ｄ＿Ｂが、非アクティブな非スタート信号として使用される。また、以上の説明から分かることには、駆動グループ１１＿Ａと駆動グループ１１＿Ｂとの間の経路が切断され、駆動グループ１１＿Ａ内の最後のレベルのシフトレジスタＳＲの信号出力端Ｏｐｕｔによって出力されるアクティブ信号は、駆動グループ１１＿Ｂ内の最初のレベルのシフトレジスタＳＲの信号入力端Ｉｐｕｔに伝えられることができない。従って、ディスプレイ部分領域Ｂは画像を表示しない。
【０２０２】
また、ＤＤＩＣの第２の信号端（２）が、接続コントローラ１２＿Ｃ内の第１のトランジスタＴ１のゲートに、ロー電圧のカスケードゲーティング信号Ｓｅｌ１を入力して、接続コントローラ１２＿Ｃ内の第１のトランジスタＴ１をターンオフ（ＯＦＦ）させる。駆動グループ１１＿Ｂと駆動グループ１１＿Ｃとの間の経路が切断される。駆動グループ１１＿Ｂ内の最後のレベルのシフトレジスタＳＲの信号出力端Ｏｐｕｔによって出力されるアクティブ信号は、駆動グループ１１＿Ｃ内の最初のレベルのシフトレジスタＳＲの信号入力端Ｉｐｕｔに伝えられることができない。
【０２０３】
ＤＤＩＣの第３の信号端（３）が、接続コントローラ１２＿Ｃ内の第２のトランジスタＴ２のゲートに、ハイ電圧の分割画面ゲーティング信号Ｓｅｌ２を入力して、接続コントローラ１２＿Ｃ内の第２のトランジスタＴ２をターンオン（ＯＮ）させる。ＤＤＩＣの第４の信号端（４）が、ハイ電圧の分割画面表示信号ＳＴＶ＿ｄ＿Ｃを入力する。類似性によって分かることには、ディスプレイ部分領域Ｃは第２の画像を表示する。
【０２０４】
図１８ａ及び図１８ｂに示すように、画像を表示しないディスプレイ部分領域Ｂは、ディスプレイ部分領域Ａとディスプレイ部分領域Ｃとの間に折り畳まれる。ディスプレイ部分領域Ａとディスプレイ部分領域Ｃとが、互いに反対側に配置される。この場合、ディスプレイ部分領域Ａとディスプレイ部分領域Ｃとが独立して表示を行うことができるので、これら２つのディスプレイ部分領域は相異なる画像を表示し得る。斯くして、一部のユーザは、図１８ａに示すディスプレイ部分領域Ａに表示された画像を見ることができ、また、一部の他のユーザは、ディスプレイ部分領域Ａとは反対側に位置して、図１８ｂに示すディスプレイ部分領域Ｃに表示された画像を見ることができる。
【０２０５】
例４
この例では、ＯＬＥＤディスプレイパネルのアクティブ表示領域１００内のディスプレイ部分領域Ａ、ディスプレイ部分領域Ｂ、及びディスプレイ部分領域Ｃのうち１つのみが画像を表示し、他のディスプレイ部分領域は表示を行わない。
【０２０６】
これに基づき、ディスプレイ部分領域Ａのみが画像を表示する場合に、表８は、図９Ａ及び図９Ｂに示したゲート駆動回路０１における接続コントローラ１２内のトランジスタのオン／オフ制御状態と、一部の信号端によって入力される信号とを示している。
【表８】
2022501653.tif 000010
【０２０７】
ディスプレイ部分領域Ａが独立して表示を行うとき、ＯＬＥＤディスプレイパネルは、図１８ａに示した折り畳み方法を使用し得る。
【０２０８】
また、ＤＤＩＣの第２の信号端（２）が、図９Ａ及び図９Ｂに示した接続コントローラ１２＿Ｂ内の第１のトランジスタＴ１のゲートに、ロー電圧のカスケードゲーティング信号Ｓｅｌ１を入力して、接続コントローラ１２＿Ｂ内の第１のトランジスタＴ１をターンオフ（ＯＦＦ）させる。この場合、駆動グループ１１＿Ａと駆動グループ１１＿Ｂとの間の経路が切断される。駆動グループ１１＿Ａ内の最後のレベルのシフトレジスタＳＲの信号出力端Ｏｐｕｔによって出力されるアクティブ信号は、駆動グループ１１＿Ｂ内の最初のレベルのシフトレジスタＳＲの信号入力端Ｉｐｕｔに伝えられることができない。この場合、スタート信号ＳＴＶはハイ電圧にあり、また上述のように、駆動グループ１１＿Ａは、画像を独立に表示するようにディスプレイ部分領域Ａを制御する。
【０２０９】
ＤＤＩＣの第３の信号端（３）が、接続コントローラ１２＿Ｂ内の第２のトランジスタＴ２のゲートに、ハイ電圧の分割画面ゲーティング信号Ｓｅｌ２を入力して、接続コントローラ１２＿Ｂ内の第２のトランジスタＴ２をターンオン（ＯＮ）させる。ＤＤＩＣの第４の信号端（４）が、ロー電圧の分割画面表示信号ＳＴＶ＿ｄ＿Ｂを入力する。この場合、接続コントローラ１２＿Ｂ内の第２のトランジスタＴ２がターンオンされ、且つＤＤＩＣの第４の信号端（４）がロー電圧の分割画面表示信号ＳＴＶ＿ｄ＿Ｂを入力するので、ディスプレイ部分領域Ｂは画像を表示せず、また、フローティング状態は生じない。
【０２１０】
また、ＤＤＩＣの第２の信号端（２）が、接続コントローラ１２＿Ｃ内の第１のトランジスタＴ１のゲートに、ロー電圧のカスケードゲーティング信号Ｓｅｌ１を入力して、接続コントローラ１２＿Ｃ内の第１のトランジスタＴ１をターンオフ（ＯＦＦ）させる。この場合、駆動グループ１１＿Ｂと駆動グループ１１＿Ｃとの間の経路が切断される。
【０２１１】
ＤＤＩＣの第３の信号端（３）が、接続コントローラ１２＿Ｃ内の第２のトランジスタＴ２のゲートに、ハイ電圧の分割画面ゲーティング信号Ｓｅｌ２を入力して、接続コントローラ１２＿Ｃ内の第２のトランジスタＴ２をターンオン（ＯＮ）させる。ＤＤＩＣの第４の信号端（４）が、ロー電圧の分割画面表示信号ＳＴＶ＿ｄ＿Ｃを入力し、該ロー電圧の分割画面表示信号ＳＴＶ＿ｄ＿Ｃが、非アクティブな非スタート信号として使用される。この場合、ディスプレイ部分領域Ｃは画像を表示せず、また、フローティング状態は生じない。
【０２１２】
一部の他の実施形態において、ディスプレイ部分領域Ｃのみが画像を表示する場合に、表９は、図９Ａ及び図９Ｂのゲート駆動回路０１における接続コントローラ１２内のトランジスタのオン／オフ制御状態と、一部の信号端によって入力される信号とを示している。接続コントローラ１２の制御プロセスは、上述したものと同じである。詳細をここで再び説明することはしない。
【表９】
2022501653.tif 000011
【０２１３】
ディスプレイ部分領域Ｃが独立して表示を行うとき、ＯＬＥＤディスプレイパネルは、図１８ｂに示した折り畳み方法を使用し得る。
【０２１４】
ＤＤＩＣの第２の信号端（２）が、図９Ａ及び図９Ｂに示した接続コントローラ１２＿Ｂ内の第１のトランジスタＴ１のゲートに、ロー電圧のカスケードゲーティング信号Ｓｅｌ１を入力して、接続コントローラ１２＿Ｂ内の第１のトランジスタＴ１をターンオフ（ＯＦＦ）させる。この場合、駆動グループ１１＿Ａと駆動グループ１１＿Ｂとの間の経路が切断される。この場合、スタート信号ＳＴＶはロー電圧にあり、ディスプレイ部分領域Ａは画像を表示しない。
【０２１５】
ＤＤＩＣの第３の信号端（３）が、接続コントローラ１２＿Ｂ内の第２のトランジスタＴ２のゲートに、ハイ電圧の分割画面ゲーティング信号Ｓｅｌ２を入力して、接続コントローラ１２＿Ｂ内の第２のトランジスタＴ２をターンオン（ＯＮ）させる。ＤＤＩＣの第４の信号端（４）が、ロー電圧の分割画面表示信号ＳＴＶ＿ｄ＿Ｂを入力する。この場合、ディスプレイ部分領域Ｂは画像を表示せず、また、フローティング状態は生じない。
【０２１６】
また、ＤＤＩＣの第２の信号端（２）が、図９Ａ及び図９Ｂに示した接続コントローラ１２＿Ｃ内の第１のトランジスタＴ１のゲートに、ロー電圧のカスケードゲーティング信号Ｓｅｌ１を入力して、図９Ａ及び図９Ｂの接続コントローラ１２＿Ｃ内の第１のトランジスタＴ１をターンオフ（ＯＦＦ）させる。この場合、駆動グループ１１＿Ｂと駆動グループ１１＿Ｃとの間の経路が切断される。
【０２１７】
ＤＤＩＣの第３の信号端（３）が、接続コントローラ１２＿Ｃ内の第２のトランジスタＴ２のゲートに、ハイ電圧の分割画面ゲーティング信号Ｓｅｌ２を入力して、接続コントローラ１２＿Ｃ内の第２のトランジスタＴ２をターンオン（ＯＮ）させる。ＤＤＩＣの第４の信号端（４）が、ハイ電圧の分割画面表示信号ＳＴＶ＿ｄ＿Ｃを入力し、該ハイ電圧の分割画面表示信号ＳＴＶ＿ｄ＿Ｃが、スタート信号として使用される。この場合、ディスプレイ部分領域Ｃは独立して画像を表示する。
【０２１８】
一部の他の実施形態において、ディスプレイ部分領域Ｂのみが画像を表示する場合に、表１０は、図１０のゲート駆動回路０１における接続コントローラ１２内のトランジスタのオン／オフ制御状態と、一部の信号端によって入力される信号とを示している。接続コントローラ１２の制御プロセスは、上述したものと同じである。詳細をここで再び説明することはしない。
【表１０】
2022501653.tif 000012
【０２１９】
ディスプレイ部分領域Ｂが独立して表示するとき、ＯＬＥＤディスプレイパネルは、図１９に示す折り畳み方法を使用し得る。
【０２２０】
ＤＤＩＣの第２の信号端（２）が、図９Ａ及び図９Ｂに示した接続コントローラ１２＿Ｂ内の第１のトランジスタＴ１のゲートに、ロー電圧のカスケードゲーティング信号Ｓｅｌ１を入力して、接続コントローラ１２＿Ｂ内の第１のトランジスタＴ１をターンオフ（ＯＦＦ）させる。この場合、駆動グループ１１＿Ａと駆動グループ１１＿Ｂとの間の経路が切断される。この場合、スタート信号ＳＴＶはロー電圧にあり、ディスプレイ部分領域Ａは画像を表示しない。
【０２２１】
ＤＤＩＣの第３の信号端（３）が、接続コントローラ１２＿Ｂ内の第２のトランジスタＴ２のゲートに、ハイ電圧の分割画面ゲーティング信号Ｓｅｌ２を入力して、接続コントローラ１２＿Ｂ内の第２のトランジスタＴ２をターンオン（ＯＮ）させる。ＤＤＩＣの第４の信号端（４）が、ハイ電圧の分割画面表示信号ＳＴＶ＿ｄ＿Ｂを入力する。ディスプレイ部分領域Ｂは独立して画像を表示する。
【０２２２】
また、ＤＤＩＣの第２の信号端（２）が、図９Ａ及び図９Ｂに示した接続コントローラ１２＿Ｃ内の第１のトランジスタＴ１のゲートに、ロー電圧のカスケードゲーティング信号Ｓｅｌ１を入力して、図９Ａ及び図９Ｂの接続コントローラ１２＿Ｃ内の第１のトランジスタＴ１をターンオフ（ＯＦＦ）させる。この場合、駆動グループ１１＿Ｂと駆動グループ１１＿Ｃとの間の経路が切断される。駆動グループ１１＿Ｂ内の最後のレベルのシフトレジスタＳＲの信号出力端Ｏｐｕｔによって出力されるアクティブ信号は、駆動グループ１１＿Ｃ内の最初のレベルのシフトレジスタＳＲの信号入力端Ｉｐｕｔに伝えられることができない。
【０２２３】
ＤＤＩＣの第３の信号端（３）が、接続コントローラ１２＿Ｃ内の第２のトランジスタＴ２のゲートに、ハイ電圧の分割画面ゲーティング信号Ｓｅｌ２を入力して、接続コントローラ１２＿Ｃ内の第２のトランジスタＴ２をターンオン（ＯＮ）させる。ＤＤＩＣの第４の信号端（４）が、ロー電圧の分割画面表示信号ＳＴＶ＿ｄ＿Ｃを入力する。この場合、ディスプレイ部分領域Ｃは画像を表示せず、また、フローティング状態は生じない。
【０２２４】
なお、ＯＬＥＤディスプレイパネルを屈曲させるプロセスにおいて、表示を行うように一部のディスプレイ部分領域を制御するソリューションは、ＯＬＥＤディスプレイパネルが横長モードを使用することによって画像を表示する例を用いて説明されている。ＯＬＥＤディスプレイパネルが縦長モードを使用して画像を表示する場合、モバイル端末は、スクリーンの向きに基づいて出力表示信号とサブピクセルの配置の仕方とについてのマッチングを実行し、換言すれば、表示画像の横方向及び縦方向の寸法を調整する。ディスプレイ部分領域を制御するやり方は、上述したものと同じである。詳細をここで再び説明することはしない。
【０２２５】
以上の説明から分かることには、この開示の実施形態にて提供されるゲート駆動回路０１は複数の駆動グループ１１を含み、そして、異なる駆動グループ１１がそれぞれアクティブ表示領域１００内の異なるディスプレイ部分領域を制御して表示を行う。さらに、２つの隣接する駆動グループ１１の間に接続コントローラ１２が配置される。接続コントローラ１２は、２つの隣接する駆動グループ１１内のシフトレジスタＳＲをカスケード接続することができ、その結果、カスケード接続の後に、２つの隣接する駆動グループ１１によって制御される２つの隣接するディスプレイ部分領域、例えば、ディスプレイ部分領域Ａとディスプレイ部分領域Ｂ、又はディスプレイ部分領域Ｂとディスプレイ部分領域Ｃが、一緒になって画像フレーム内で同一の画像を表示するようにすることができる。それに代えて、接続コントローラ１２は、例えば駆動グループ１１＿Ａ及び駆動グループＢである２つの隣接する駆動グループの間の経路を切断してもよく、その結果、接続コントローラ１２に接続された下位レベル側の駆動グループ、例えば駆動グループＢが、ディスプレイ部分領域Ｂを独立に制御して、独立して画像を表示するようにし得る。
【０２２６】
これに基づき、ゲート駆動回路０１がフレキシブルディスプレイパネルに適用される場合、該フレキシブルディスプレイパネルは、該フレキシブルディスプレイパネルの表示領域が元々の表示領域に比べて縮小されるように屈曲され得る。この場合、縮小された表示領域がなおも完全な画像を独立して表示することができる。
【０２２７】
この出願の一部の実施形態は、ゲート駆動回路の表示を制御する方法を提供する。ゲート駆動回路０１は、第１の駆動グループ（駆動グループ１１＿Ａ）、第１の接続コントローラ（接続コントローラ１２＿Ｂ）、及び第２の駆動グループ（駆動グループ１１＿Ｂ）を含む。
【０２２８】
第１の駆動グループ（駆動グループ１１＿Ａ）は、Ｍ個のカスケードされたシフトレジスタＳＲを含む。第１の駆動グループ（駆動グループ１１＿Ａ）の入力端が、ＤＤＩＣの第１の信号端（１）に電気的に接続される、ここで、Ｍ≧２であり且つＭは正の整数である。
【０２２９】
第１の接続コントローラ（接続コントローラ１２＿Ｂ）の第１端が、第１の駆動グループ（駆動グループ１１＿Ａ）の出力端に電気的に接続される。
【０２３０】
第１の接続コントローラ（接続コントローラ１２＿Ｂ）の第２端が、ＤＤＩＣの第２の信号端（２）に電気的に接続される。
【０２３１】
第１の接続コントローラ（接続コントローラ１２＿Ｂ）の第３端が、ＤＤＩＣの第３の信号端（３）に電気的に接続される。
【０２３２】
第１の接続コントローラ（接続コントローラ１２＿Ｂ）の第４端が、ＤＤＩＣの第４の信号端（４）に電気的に接続される。
【０２３３】
第２の駆動グループ（駆動グループ１１＿Ａ）は、Ｎ個のカスケードされたシフトレジスタＳＲを含み、第２の駆動グループの入力端が、第１の接続コントローラ（接続コントローラ１２＿Ｂ）の第５端に電気的に接続され、ここで、Ｎ≧２であり且つＮは正の整数である。
【０２３４】
また、接続コントローラ１２は、第１のスイッチ１２０１及び第２のスイッチ１２０２を含む。
【０２３５】
第１のスイッチ１２０１は、ＤＤＩＣの第２の信号端（２）と、第１の駆動グループの出力端、例えば、駆動グループ１１＿Ａの１つのレベルのシフトレジスタＳＲの信号出力端Ｏｐｕｔと、第２の駆動グループの入力端、例えば、駆動グループ１１＿Ｂの１つのレベルのシフトレジスタＳＲの信号入力端Ｉｐｕｔとに電気的に接続される。
【０２３６】
一部の実施形態において、第１のスイッチ１２０１は、図９Ａ及び図９Ｂに示した第１のトランジスタＴ１を含み得る。
【０２３７】
第２のスイッチ１２０２は、ＤＤＩＣの第３の信号端（３）と、ＤＤＩＣの第４の信号端（４）と、第２の駆動グループの入力端、例えば、１つのレベルのシフトレジスタＳＲの信号入力端Ｉｐｕｔとに電気的に接続される。一部の実施形態において、第２のスイッチ１２０２は、図９Ａ及び図９Ｂに示した第２のトランジスタＴ２を含み得る。
【０２３８】
これに基づき、図２１に示すように、当該方法は、以下のステップを含む。
【０２３９】
Ｓ１０１．  第１のスイッチ１２０１が、ＤＤＩＣの第２の信号端（２）によって出力される非アクティブなカスケードゲーティング信号Ｓｅｌ１を受信し、その結果、第１のスイッチ１２０１がディセーブルされて、第１の駆動グループ（駆動グループ１１＿Ａ）と第２の駆動グループ（駆動グループ１１＿Ｂ）との間の経路が切断される。
【０２４０】
第１のスイッチ１２０１が、図９Ａ及び図９Ｂに示した第１のトランジスタＴ１を含み得る場合、Ｓ１０１は、ＤＤＩＣの第２の信号端（２）により、接続コントローラ１２＿Ｂ内の第１のトランジスタＴ１のゲートにロー電圧を入力して、接続コントローラ１２＿Ｂ内の第１のトランジスタＴ１をターンオフ（ＯＦＦ）させることを含む。第１の駆動グループ（駆動グループ１１＿Ａ）内の例えばＳＲ６４０である１つのレベルのシフトレジスタＳＲの信号出力端Ｏｐｕｔのアクティブ信号は、第２の駆動グループ（駆動グループ１１＿Ｂ）内の例えばＳＲ６４１である１つのレベルのシフトレジスタＳＲの信号入力端Ｉｐｕｔに伝えられることができず、それ故に、第１の駆動グループと第２の駆動グループとの間の経路が切断される。
【０２４１】
Ｓ１０２．  第２のスイッチ１２０２が、ＤＤＩＣの第３の信号端（３）によって出力されるアクティブな分割画面ゲーティング信号Ｓｅｌ２を受信し、その結果、第２のスイッチ１２０２がイネーブルされる。
【０２４２】
第２のスイッチ１２０２が、図９Ａ及び図９Ｂに示した第２のトランジスタＴ２を含む場合、Ｓ１０２は、ＤＤＩＣの第３の信号端（３）により、接続コントローラ１２＿Ｂ内の第２のトランジスタＴ２のゲートにハイ電圧を入力して、接続コントローラ１２＿Ｂ内の第２のトランジスタＴ２をターンオン（ＯＮ）させることを含む。
【０２４３】
Ｓ１０３．  第２のスイッチ１２０２が、ＤＤＩＣの第４の信号端（４）によって出力されるアクティブな分割画面表示信号ＳＴＶ＿ｄを受信する。該アクティブな分割画面表示信号ＳＴＶ＿ｄが、イネーブルされた第２のスイッチ１２０２を介して、第２の駆動グループ（駆動グループ１１＿Ｂ）の入力端に出力される。第２の駆動グループ内の複数のシフトレジスタＳＲの信号出力端Ｏｐｕｔが順次にゲート駆動信号を出力する。
【０２４４】
例えば、ＤＤＩＣの第４の信号端（４）がハイ電圧を入力し、該ハイ電圧が、駆動グループ１１＿Ｂ内の最初のレベルのシフトレジスタＳＲ６４１の信号入力端Ｉｐｕｔに、スタート信号として提供される。これに基づき、画像フレーム内で、駆動グループ１１＿Ｂ内の全てのレベルのシフトレジスタＳＲの信号出力端Ｏｐｕｔが、ディスプレイ部分領域Ｂ内のサブピクセル２０に行ごとに、例えば発光制御信号ＥＭであるゲート駆動信号を入力する。この場合、駆動グループ１１＿Ｂによって制御されるディスプレイ部分領域Ｂは独立して画像を表示する。
【０２４５】
あるいは、第２のスイッチ１２０２が、ＤＤＩＣの第４の信号端（４）によって出力される非アクティブな分割画面表示信号ＳＴＶ＿ｄを受信する。該非アクティブな分割画面表示信号ＳＴＶ＿ｄが、イネーブルされた第２のスイッチ１２０２を介して、第２の駆動グループ（駆動グループ１１＿Ｂ）の入力端に出力される。第２の駆動グループ内の全てのシフトレジスタＳＲの信号出力端Ｏｐｕｔが、非ゲート駆動信号を出力する。この場合、駆動グループ１１＿Ｂによって制御されるディスプレイ部分領域Ｂは画像を表示しない。
【０２４６】
一部の他の実施形態において、第１の駆動グループ（駆動グループ１１＿Ａ）が、スタート信号ＳＴＶを受信するように構成された第１レベルのシフトレジスタＳＲ１を含む場合、ゲート駆動回路を制御する方法は更に：
第１の駆動グループ（駆動グループ１１＿Ａ）内の第１レベルのシフトレジスタＳＲ１の信号入力端Ｉｐｕｔに、例えばハイ電圧であるアクティブなスタート信号ＳＴＶを提供し、第１の駆動グループ（駆動グループ１１＿Ａ）内の全てのレベルのシフトレジスタＳＲの信号出力端Ｏｐｕｔが、ディスプレイ部分領域Ａ内のサブピクセル２０に列ごとに、例えば発光制御信号ＥＭであるゲート駆動信号を入力し、この場合、第１の駆動グループ（駆動グループ１１＿Ａ）によって制御されるディスプレイ部分領域Ａは画像を表示する、
ことを含む。
【０２４７】
この場合、Ｓ１０３が実行された後、ディスプレイ部分領域Ｂも画像を表示する場合に、ディスプレイ部分領域Ａ及びディスプレイ部分領域Ｂが、それぞれ、第１の画像及び第２の画像を表示し得る。
【０２４８】
一部の他の実施形態において、アクティブ表示領域１００は更に、図７ｂに示したディスプレイ部分領域Ｃを含む。ゲート駆動回路０１は、ディスプレイ部分領域Ｃを制御するように構成された駆動グループ１１＿Ｃを含む。
【０２４９】
この場合、以上の説明から分かることには、接続コントローラ１２＿Ｂに接続された駆動グループ１１−Ａ及び駆動グループ１１＿Ｂについて、駆動グループ１１−Ａは第１の駆動グループであり、駆動グループ１１＿Ｂは第２の駆動グループである。
【０２５０】
第３の接続コントローラ（接続コントローラ１２＿Ｃ）に接続された駆動グループ１１＿Ｂ及び駆動グループ１１＿Ｃについて、駆動グループ１１−Ｂは第２の駆動グループであり、駆動グループ１１＿Ｃは第３の駆動グループである。第３の接続コントローラ（接続コントローラ１２＿Ｃ）を用いることによって第２の駆動グループと第３の駆動グループとの間の経路切断を実現することの制御プロセスは、上述したものと同じである。詳細をここで再び説明することはしない。
【０２５１】
以上の説明は、単に本発明の特定の実装であり、本発明の保護範囲を限定することを意図するものではない。本発明にて開示された技術的範囲内で当業者が容易に考え付く如何なる変形又は置換も、本発明の保護範囲に入るものである。従って、本発明の保護範囲は、請求項の保護範囲に従うものである。
【図１】
2022501653.tif 000013
【図２】
2022501653.tif 000014
【図３】
2022501653.tif 000015
【図４】
2022501653.tif 000016
【図５】
2022501653.tif 000017
【図６Ａ】
2022501653.tif 000018
【図６Ｂ】
2022501653.tif 000019
【図７ａ】
2022501653.tif 000020
【図７ｂ】
2022501653.tif 000021
【図７ｃ】
2022501653.tif 000022
【図８】
2022501653.tif 000023
【図９Ａ】
2022501653.tif 000024
【図９Ｂ】
2022501653.tif 000025
【図１０】
2022501653.tif 000026
【図１１】
2022501653.tif 000027
【図１２】
2022501653.tif 000028
【図１３ａ】
2022501653.tif 000029
【図１３ｂ】
2022501653.tif 000030
【図１４】
2022501653.tif 000031
【図１５】
2022501653.tif 000032
【図１６ａ】
2022501653.tif 000033
【図１６ｂ】
2022501653.tif 000034
【図１７】
2022501653.tif 000035
【図１８ａ】
2022501653.tif 000036
【図１８ｂ】
2022501653.tif 000037
【図１９】
2022501653.tif 000038
【図２０】
2022501653.tif 000039
【図２１】
2022501653.tif 000040
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
ディスプレイパネル上のピクセル回路を駆動して表示を行うように構成されたゲート駆動回路であって、当該ゲート駆動回路は、
Ｍ個のカスケード接続されたシフトレジスタを有する第１の駆動グループであり、当該第１の駆動グループの入力端が、ディスプレイドライバの第１の信号端に電気的に接続されて、前記ディスプレイドライバの前記第１の信号端によって出力されるスタート信号を受信し、Ｍ≧２であり且つＭは正の整数である、第１の駆動グループと、
第１の接続コントローラであり、当該第１の接続コントローラの第１端が、前記第１の駆動グループの出力端に電気的に接続されて、前記第１の駆動グループによって出力されるアクティブ信号を受信し、当該第１の接続コントローラの第２端が、前記ディスプレイドライバの第２の信号端に電気的に接続されて、前記ディスプレイドライバの前記第２の信号端によって出力されるカスケードゲーティング信号を受信し、当該第１の接続コントローラの第３端が、前記ディスプレイドライバの第３の信号端に電気的に接続されて、前記ディスプレイドライバの前記第３の信号端によって出力される分割画面ゲーティング信号を受信し、当該第１の接続コントローラの第４端が、前記ディスプレイドライバの第４の信号端に電気的に接続されて、前記ディスプレイドライバの前記第４の信号端によって出力される分割画面表示信号を受信する、第１の接続コントローラと、
Ｎ個のカスケード接続されたシフトレジスタを有する第２の駆動グループであり、当該第２の駆動グループの入力端が、前記第１の接続コントローラの第５端に電気的に接続されて、前記第１の接続コントローラの前記第５端によって出力されるアクティブ信号を受信し、Ｎ≧２であり且つＮは正の整数である、第２の駆動グループと、
を有する、ゲート駆動回路。
【請求項２】
当該ゲート駆動回路は更に、
第２の接続コントローラであり、当該第２の接続コントローラの第１端が、前記第２の駆動グループの出力端に電気的に接続されて、前記第２の駆動グループによって出力されるアクティブ信号を受信し、当該第２の接続コントローラの第２端が、前記ディスプレイドライバの前記第２の信号端に電気的に接続されて、前記ディスプレイドライバの前記第２の信号端によって出力される前記カスケードゲーティング信号を受信し、当該第２の接続コントローラの第３端が、前記ディスプレイドライバの前記第３の信号端に電気的に接続されて、前記ディスプレイドライバの前記第３の信号端によって出力される前記分割画面ゲーティング信号を受信し、当該第２の接続コントローラの第４端が、前記ディスプレイドライバの前記第４の信号端に電気的に接続されて、前記ディスプレイドライバの前記第４の信号端によって出力される前記分割画面表示信号を受信する、第２の接続コントローラと、
Ｓ個のカスケード接続されたシフトレジスタを有する第３の駆動グループであり、当該第３の駆動グループの入力端が、前記第２の接続コントローラの第５端に電気的に接続されて、前記第２の接続コントローラの前記第５端によって出力されるアクティブ信号を受信し、Ｓ≧２であり且つＳは正の整数である、第３の駆動グループと、
を有する、請求項１に記載のゲート駆動回路。
【請求項３】
前記第１の接続コントローラは、第１のスイッチ及び第２のスイッチを有し、
前記第１のスイッチは、前記ディスプレイドライバの前記第２の信号端と、前記第１の駆動グループの前記出力端と、前記第２の駆動グループの前記入力端とに電気的に接続され、前記第１のスイッチは、前記ディスプレイドライバの前記第２の信号端によって出力される前記カスケードゲーティング信号を受信するように構成され、前記カスケードゲーティング信号の制御下でイネーブル又はディセーブルされ、該イネーブルされた状態で、受信した、前記第１の駆動グループの前記出力端によって出力される前記アクティブ信号を、前記第２の駆動グループの前記入力端に伝え、
前記第２のスイッチは、前記ディスプレイドライバの前記第３の信号端と、前記ディスプレイドライバの前記第４の信号端と、前記第２の駆動グループの前記入力端とに電気的に接続され、前記第２のスイッチは、前記ディスプレイドライバの前記第３の信号端によって出力される前記分割画面ゲーティング信号を受信するように構成され、前記分割画面ゲーティング信号の制御下でイネーブル又はディセーブルされ、該イネーブルされた状態で、受信した、前記ディスプレイドライバの前記第４の信号端によって出力される前記分割画面表示信号を、前記第２の駆動グループの前記入力端に伝える、
請求項１に記載のゲート駆動回路。
【請求項４】
前記第１のスイッチは第１のトランジスタを有し、該第１のトランジスタのゲートが、前記ディスプレイドライバの前記第２の信号端に電気的に接続され、該第１のトランジスタの第１の電極が、前記第１の駆動グループの前記出力端に電気的に接続され、該第１のトランジスタの第２の電極が、前記第２の駆動グループの前記入力端に電気的に接続され、
前記第２のスイッチは第２のトランジスタを有し、該第２のトランジスタのゲートが、前記ディスプレイドライバの前記第３の信号端に電気的に接続され、該第２のトランジスタの第１の電極が、前記ディスプレイドライバの前記第４の信号端に電気的に接続され、該第２のトランジスタの第２の電極が、前記第２の駆動グループの前記入力端に電気的に接続される、
請求項３に記載のゲート駆動回路。
【請求項５】
前記第１の駆動グループ又は前記第２の駆動グループ内で、最初のレベルのシフトレジスタ以外の複数のシフトレジスタにおいて、上位レベルのシフトレジスタの信号出力端が、下位レベルのシフトレジスタの信号入力端に電気的に接続され、
前記第１のトランジスタの前記第１の電極は、前記第１の駆動グループ内の最後のレベルのシフトレジスタの信号出力端に電気的に接続され、前記第１のトランジスタの前記第２の電極は、前記第２の駆動グループ内の前記最初のレベルのシフトレジスタの信号入力端に電気的に接続され、
前記第２のトランジスタの前記第２の電極は、前記第２の駆動グループ内の前記最初のレベルのシフトレジスタの前記信号入力端に電気的に接続される、
請求項４に記載のゲート駆動回路。
【請求項６】
請求項１乃至５のいずれか一項に記載のゲート駆動回路を有するモバイル端末であって、
当該モバイル端末は更に、画像を表示するように構成された第１のピクセル回路及び第２のピクセル回路を有し、
前記ゲート駆動回路の第１の駆動グループ内で、各レベルのシフトレジスタの信号出力端が、前記第１のピクセル回路内の一部のトランジスタのゲートに電気的に接続され、
前記ゲート駆動回路の第２の駆動グループ内で、各レベルのシフトレジスタの信号出力端が、前記第２のピクセル回路内の一部のトランジスタのゲートに電気的に接続される、
モバイル端末。
【請求項７】
前記第１及び第２のピクセル回路は各々、発光コンポーネントと、該発光コンポーネントが発光するときにターンオン状態にある発光制御トランジスタとを有し、
前記第１の駆動グループ内で、各レベルのシフトレジスタの信号出力端が、前記第１のピクセル回路内の前記発光制御トランジスタのゲートに電気的に接続され、
前記第２の駆動グループ内で、各レベルのシフトレジスタの信号出力端が、前記第２のピクセル回路内の前記発光制御トランジスタのゲートに電気的に接続される、
請求項６に記載のモバイル端末。
【請求項８】
当該モバイル端末は、それぞれ、第１のゲート駆動回路、第２のゲート駆動回路である２つのゲート駆動回路を有し、
前記第１のゲート駆動回路において、各第１の駆動グループ内の各レベルのシフトレジスタの信号出力端が、奇数番目の行又は列の第１のピクセル回路内の一部のトランジスタのゲートに電気的に接続され、各第２の駆動グループ内の各レベルのシフトレジスタの信号出力端が、奇数番目の行又は列の第２のピクセル回路内の一部のトランジスタのゲートに電気的に接続され、
前記第２のゲート駆動回路において、各第１の駆動グループの各レベルのシフトレジスタの信号出力端が、偶数番目の行又は列の前記第１のピクセル回路内の一部のトランジスタのゲートに電気的に接続され、各第２の駆動グループ内の各レベルのシフトレジスタの信号出力端が、偶数番目の行又は列の前記第２のピクセル回路内の一部のトランジスタのゲートに電気的に接続される、
請求項６に記載のモバイル端末。
【請求項９】
ディスプレイドライバはディスプレイドライバ集積回路を有し、該ディスプレイドライバ集積回路は、
スタート信号を送信するように構成された第１の信号端と、
カスケードゲーティング信号を送信するように構成された第２の信号端と、
分割画面ゲーティング信号を送信するように構成された第３の信号端と、
分割画面表示信号を送信するように構成された第４の信号端と、
を有する、請求項６に記載のモバイル端末。
【請求項１０】
当該モバイル端末は更に、前記第１のピクセル回路及び前記第２のピクセル回路が上に製造された下地基板を有し、
前記下地基板を構成する材料は可撓性樹脂材料を有する、
請求項６乃至９のいずれか一項に記載のモバイル端末。
【請求項１１】
ゲート駆動回路を制御する方法であって、前記ゲート駆動回路は、第１の駆動グループ、第１の接続コントローラ、及び第２の駆動グループを有し、前記第１の駆動グループは、Ｍ個のカスケード接続されたシフトレジスタを有し、前記第１の駆動グループの入力端が、ディスプレイドライバの第１の信号端に電気的に接続され、Ｍ≧２であり且つＭは正の整数であり、前記第１の接続コントローラの第１端が、前記第１の駆動グループの出力端に電気的に接続され、前記第１の接続コントローラの第２端が、前記ディスプレイドライバの第２の信号端に電気的に接続され、前記第１の接続コントローラの第３端が、前記ディスプレイドライバの第３の信号端に電気的に接続され、前記第１の接続コントローラの第４端が、前記ディスプレイドライバの第４の信号端に電気的に接続され、前記第２の駆動グループは、Ｎ個のカスケード接続されたシフトレジスタを有し、前記第２の駆動グループの入力端が、前記第１の接続コントローラの第５端に電気的に接続され、Ｎ≧２であり且つＮは正の整数であり、
前記第１の接続コントローラは、第１のスイッチ及び第２のスイッチを有し、前記第１のスイッチは、前記ディスプレイドライバの前記第２の信号端と、前記第１の駆動グループの前記出力端と、前記第２の駆動グループの前記入力端とに電気的に接続され、前記第２のスイッチは、前記ディスプレイドライバの前記第３の信号端と、前記ディスプレイドライバの前記第４の信号端と、前記第２の駆動グループの前記入力端とに電気的に接続され、
ゲート駆動回路を制御する当該方法は、
前記第１のスイッチにより、前記ディスプレイドライバの前記第２の信号端によって出力された非アクティブなカスケードゲーティング信号を受信し、その結果、前記第１のスイッチがディセーブルされて、前記第１の駆動グループと前記第２の駆動グループとの間の経路が切断され、
前記第２のスイッチにより、前記ディスプレイドライバの前記第３の信号端によって出力されたアクティブな分割画面ゲーティング信号を受信し、その結果、前記第２のスイッチがイネーブルされ、
前記第２のスイッチにより、前記ディスプレイドライバの前記第４の信号端によって出力されたアクティブな分割画面表示信号を受信し、該アクティブな分割画面表示信号が、前記イネーブルされた第２のスイッチを介して前記第２の駆動グループの前記入力端に出力され、前記第２の駆動グループ内の前記Ｎ個のシフトレジスタの信号出力端が順次にゲート駆動信号を出力する、又は、前記第２のスイッチにより、前記ディスプレイドライバの前記第４の信号端によって出力された非アクティブな分割画面表示信号を受信し、該非アクティブな分割画面表示信号が、前記イネーブルされた第２のスイッチを介して前記第２の駆動グループの前記入力端に出力され、前記第２の駆動グループ内の全てのシフトレジスタの信号出力端が非ゲート駆動信号を出力する、
ことを有する、
方法。
【請求項１２】
当該方法は更に、
前記第１の駆動グループの入力端により、前記ディスプレイドライバの前記第１の信号端によって出力されたアクティブなスタート信号を受信し、前記第１の駆動グループ内の全てのレベルのシフトレジスタの信号出力端が順次にゲート駆動信号を出力する、
ことを有する、請求項１１に記載のゲート駆動回路を制御する方法。
【手続補正２】
【補正対象書類名】明細書
【補正対象項目名】００５９
【補正方法】変更
【補正の内容】
【００５９】
ゲート駆動回路０１の第２の駆動グループ（駆動グループ１１＿Ｂ）において、駆動グループ１１＿Ｂがディスプレイ部分領域Ｂを独立に制御するように、各レベルのシフトレジスタＳＲの信号出力端が、第２のピクセル回路内の一部のトランジスタのゲートに電気的に接続される。
【手続補正３】
【補正対象書類名】明細書
【補正対象項目名】００６９
【補正方法】変更
【補正の内容】
【００６９】
ゲート駆動回路０１の第２の駆動グループ（駆動グループ１１＿Ｂ）において、駆動グループ１１＿Ｂがディスプレイ部分領域Ｂを独立に制御するように、各レベルのシフトレジスタＳＲの信号出力端が、第２のピクセル回路内の一部のトランジスタのゲートに電気的に接続される。
【手続補正４】
【補正対象書類名】明細書
【補正対象項目名】００７０
【補正方法】変更
【補正の内容】
【００７０】
ゲート駆動回路０１の第３の駆動グループ（駆動グループ１１＿Ｃ）において、駆動グループ１１＿Ｃがディスプレイ部分領域Ｃを独立に制御するように、各レベルのシフトレジスタＳＲの信号出力端が、第３のピクセル回路内の一部のトランジスタのゲートに電気的に接続される。
【手続補正５】
【補正対象書類名】明細書
【補正対象項目名】０１２０
【補正方法】変更
【補正の内容】
【０１２０】
さらに、図７ｂ又は図８の説明のための例において、ゲート駆動回路０１は、アクティブ表示領域１００の片側に位置している。モバイル端末のディスプレイパネル１０の狭ベゼル設計を容易にするために、図１１に示すように、第１のゲート駆動回路０１＿Ｄ及び第２のゲート駆動回路０１＿Ｅを、それぞれ、アクティブ表示領域１００の左側と右側（又は上側と下側）に配置してもよい。
【手続補正６】
【補正対象書類名】明細書
【補正対象項目名】０１３９
【補正方法】変更
【補正の内容】
【０１３９】
なお、駆動グループ１１＿Ａ内の最初のレベルのシフトレジスタは、図１に示したように、スタート信号ＳＴＶを受信するように構成された、ゲート駆動回路０１全体の中の第１レベルのシフトレジスタＳＲ１である。駆動グループ１１＿Ｂ内の最初のレベルのシフトレジスタはシフトレジスタＳＲ６４１である。駆動グループ１１＿Ｃ内の最初のレベルのシフトレジスタはシフトレジスタＳＲ１２８１である。
【手続補正７】
【補正対象書類名】明細書
【補正対象項目名】０１６２
【補正方法】変更
【補正の内容】
【０１６２】
ＤＤＩＣの第２の信号端（２）が、接続コントローラ１２＿Ｂ内の第１のトランジスタＴ１のゲートに、ハイ電圧のカスケードゲーティング信号Ｓｅｌ１を入力して、接続コントローラ１２＿Ｂ内の第１のトランジスタＴ１をターンオン（ＯＮ）させる。この場合、駆動グループ１１＿Ａ内の例えばＳＲ６４０である最後のレベルのシフトレジスタＳＲの信号出力端Ｏｐｕｔが、駆動グループ１１＿Ｂ内の例えばＳＲ６４１である最初のレベルのシフトレジスタＳＲの信号入力端Ｉｐｕｔに接続される。
【手続補正８】
【補正対象書類名】明細書
【補正対象項目名】０１６５
【補正方法】変更
【補正の内容】
【０１６５】
この場合、駆動グループ１１＿Ｂ内の例えばＳＲ１２８０である最後のレベルのシフトレジスタＳＲの信号出力端Ｏｐｕｔが、駆動グループ１１＿Ｃ内の例えばＳＲ１２８１である最初のレベルのシフトレジスタＳＲの信号入力端Ｉｐｕｔに接続される。また、ＤＤＩＣの第３の信号端（３）が、接続コントローラ１２＿Ｃ内の第２のトランジスタＴ２のゲートに、ロー電圧の分割画面ゲーティング信号Ｓｅｌ２を入力して、接続コントローラ１２＿Ｃ内の第２のトランジスタＴ２をターンオフ（ＯＦＦ）させる。ＤＤＩＣの第４の信号端（４）が、第２のトランジスタＴ２の第１の電極に、ロー電圧の分割画面表示信号ＳＴＶ＿ｄ＿Ｃを入力し、該ロー電圧の分割画面表示信号ＳＴＶ＿ｄ＿Ｃが、ＤＤＩＣの第４の信号端（４）がフローティング（floating）状態に留まることを防止するための非アクティブな非スタート信号として使用される。この場合、ディスプレイ部分領域Ｃは独立に表示を行うことができない。
【手続補正９】
【補正対象書類名】明細書
【補正対象項目名】０１７９
【補正方法】変更
【補正の内容】
【０１７９】
ＤＤＩＣの第３の信号端（３）が、接続コントローラ１２＿Ｃ内の第２のトランジスタＴ２のゲートに、ハイ電圧の分割画面ゲーティング信号Ｓｅｌ２を入力して、接続コントローラ１２＿Ｃ内の第２のトランジスタＴ２をターンオン（ＯＮ）させる。ＤＤＩＣの第４の信号端（４）が、ハイ電圧の分割画面表示信号ＳＴＶ＿ｄ＿Ｃを入力する。類似性によって分かることには、ディスプレイ部分領域Ｃは第１の画像を表示する。
【手続補正１０】
【補正対象書類名】明細書
【補正対象項目名】０１８６
【補正方法】変更
【補正の内容】
【０１８６】
例えば、ＯＬＥＤディスプレイパネルは、横長モードで表示を行う。図１４に示すように、ＯＬＥＤディスプレイパネルのアクティブ表示領域１００が、左から右に順に、ディスプレイ部分領域Ａ、ディスプレイ部分領域Ｂ、及びディスプレイ部分領域Ｃに分割される。この場合、発光制御信号を提供するように構成されたゲート駆動回路０１は、アクティブ表示領域１００の上側及び／又は下側の非表示領域１０１に配置される。また、図１５は、ＯＬＥＤディスプレイパネルが折り畳まれる前の、ディスプレイ部分領域Ａ、ディスプレイ部分領域Ｂ、及びディスプレイ部分領域Ｃが全て表示を行っている概略図である。
【手続補正１１】
【補正対象書類名】明細書
【補正対象項目名】０２２５
【補正方法】変更
【補正の内容】
【０２２５】
以上の説明から分かることには、この開示の実施形態にて提供されるゲート駆動回路０１は複数の駆動グループ１１を含み、そして、異なる駆動グループ１１がそれぞれアクティブ表示領域１００内の異なるディスプレイ部分領域を制御して表示を行う。さらに、２つの隣接する駆動グループ１１の間に接続コントローラ１２が配置される。接続コントローラ１２は、２つの隣接する駆動グループ１１内のシフトレジスタＳＲをカスケード接続することができ、その結果、カスケード接続の後に、２つの隣接する駆動グループ１１によって制御される２つの隣接するディスプレイ部分領域、例えば、ディスプレイ部分領域Ａとディスプレイ部分領域Ｂ、又はディスプレイ部分領域Ｂとディスプレイ部分領域Ｃが、一緒になって画像フレーム内で同一の画像を表示するようにすることができる。それに代えて、接続コントローラ１２は、例えば駆動グループ１１＿Ａ及び駆動グループ１１＿Ｂである２つの隣接する駆動グループの間の経路を切断してもよく、その結果、接続コントローラ１２に接続された下位レベル側の駆動グループ、例えば駆動グループ１１＿Ｂが、ディスプレイ部分領域Ｂを独立に制御して、独立して画像を表示するようにし得る。
【手続補正１２】
【補正対象書類名】明細書
【補正対象項目名】０２２７
【補正方法】変更
【補正の内容】
【０２２７】
この出願の一部の実施形態は、ゲート駆動回路を制御する方法を提供する。ゲート駆動回路０１は、第１の駆動グループ（駆動グループ１１＿Ａ）、第１の接続コントローラ（接続コントローラ１２＿Ｂ）、及び第２の駆動グループ（駆動グループ１１＿Ｂ）を含む。
【手続補正１３】
【補正対象書類名】明細書
【補正対象項目名】０２３３
【補正方法】変更
【補正の内容】
【０２３３】
第２の駆動グループ（駆動グループ１１＿Ｂ）は、Ｎ個のカスケードされたシフトレジスタＳＲを含み、第２の駆動グループの入力端が、第１の接続コントローラ（接続コントローラ１２＿Ｂ）の第５端に電気的に接続され、ここで、Ｎ≧２であり且つＮは正の整数である。
【手続補正１４】
【補正対象書類名】明細書
【補正対象項目名】０２４９
【補正方法】変更
【補正の内容】
【０２４９】
この場合、以上の説明から分かることには、接続コントローラ１２＿Ｂに接続された駆動グループ１１＿Ａ及び駆動グループ１１＿Ｂについて、駆動グループ１１＿Ａは第１の駆動グループであり、駆動グループ１１＿Ｂは第２の駆動グループである。
【手続補正１５】
【補正対象書類名】明細書
【補正対象項目名】０２５０
【補正方法】変更
【補正の内容】
【０２５０】
第２の接続コントローラ（接続コントローラ１２＿Ｃ）に接続された駆動グループ１１＿Ｂ及び駆動グループ１１＿Ｃについて、駆動グループ１１＿Ｂは第２の駆動グループであり、駆動グループ１１＿Ｃは第３の駆動グループである。第２の接続コントローラ（接続コントローラ１２＿Ｃ）を用いることによって第２の駆動グループと第３の駆動グループとの間の経路切断を実現することの制御プロセスは、上述したものと同じである。詳細をここで再び説明することはしない。
【国際調査報告】
2022501653.tif 000041
2022501653.tif 000042
2022501653.tif 000043
2022501653.tif 000044